(57)【要約】      （修正有）【課題】磁気共鳴イメージングシステムの環境におけるノイズを抑制する方法を提供する。【解決手段】幾つかの態様による磁気共鳴イメージングシステムの環境におけるノイズを抑制する方法は、少なくとも１つの一次コイル及び少なくとも１つの補助センサそれぞれによって前記環境から得られる複数の較正測定値に基づいて伝達関数を推定するステップと、少なくとも部分的に伝達関数に基づいて少なくとも１つの一次コイルによって受信される磁気共鳴信号に存在するノイズを推定するステップと、ノイズ推定を使用して磁気共鳴信号のノイズを抑制するステップと；を含む。【選択図】図１
2020121137.tif 000002
【特許請求の範囲】
【請求項１】
磁気共鳴イメージングシステムの環境におけるノイズを抑制する方法であって、前記方法は：
第１の複数の較正信号及び対応する第２の複数の較正信号を取得するステップであって、少なくとも１つの一次コイル及び前記少なくとも１つの一次コイルと異なる少なくとも１つの補助センサを使用して：
前記少なくとも１つの補助センサを使用して前記第１の複数の較正信号を取得するステップであって、前記第１の複数の較正信号の各々は複数の値を含む、ステップ；及び
前記少なくとも１つの一次コイルを使用して前記第２の複数の較正信号を取得するステップであって、前記第２の複数の較正信号の各々は複数の値を含む、ステップ；
によって、第１の複数の較正信号及び対応する第２の複数の較正信号を取得するステップと；
前記第１の複数の較正信号及び前記第２の複数の較正信号に基づいて、変換を推定するステップであって、前記変換は、前記少なくとも１つの補助センサによって受信されるノイズに適用されるとき、前記少なくとも１つの一次コイルによって受信されるノイズの推定値を提供する、推定するステップと；
前記変換を推定するステップの後：
前記少なくとも１つの一次コイルを使用して磁気共鳴信号を受信するステップと；
前記少なくとも１つの補助センサを使用してノイズ信号を受信するステップと；
ノイズ推定値を得るために前記少なくとも１つの補助センサによって受信される前記ノイズ信号に前記変換を適用することによって前記少なくとも１つの一次コイルによって受信される前記磁気共鳴信号に存在するノイズを推定するステップと；
前記ノイズ推定値を使用して前記磁気共鳴信号のノイズを抑制するステップと；を含む、
方法。
【請求項２】
前記第１の複数の較正信号は、関心のあるスペクトルにわたる複数の周波数ビンのそれぞれに関する複数の値を示す、
請求項１に記載の方法。
【請求項３】
前記第１の複数の較正信号の離散フーリエ変換が、関心のあるスペクトルにわたる複数の周波数ビンのそれぞれに関する複数の値を提供する、
請求項１に記載の方法。
【請求項４】
前記第１の複数の較正信号は、それぞれの複数の時間に取得される第１の複数の値を含む、
請求項１に記載の方法。
【請求項５】
前記第１の複数の較正信号を取得するステップは、前記少なくとも１つの補助センサを使用して少なくとも１０の較正信号を取得するステップを含む、
請求項１に記載の方法。
【請求項６】
前記第１の複数の較正信号を取得するステップは、前記少なくとも１つの補助センサを使用して少なくとも１００の較正信号を取得するステップを含む、
請求項１に記載の方法。
【請求項７】
前記少なくとも１つの一次コイルは、前記磁気共鳴イメージングシステムの視野内に位置するときサンプルによって作り出される磁気共鳴信号を検出するように前記磁気共鳴イメージングシステムの前記視野内に配置され、前記少なくとも１つの補助センサは、前記視野の外側に配置される少なくとも１つの補助コイルを有する、
請求項１に記載の方法。
【請求項８】
前記少なくとも１つの補助コイルは、複数の補助コイルを含み、前記第１の複数の較正信号は、前記複数の補助コイルを使用して前記環境から取得される、
請求項７に記載の方法。
【請求項９】
前記複数の補助コイルのうちの少なくとも１つは、少なくとも１つの他の補助コイルと異なる種類である、
請求項８に記載の方法。
【請求項１０】
前記磁気共鳴信号に存在するノイズを推定するステップは、前記複数の補助コイルの夫々によって受信され且つ前記少なくとも１つの一次コイルが前記磁気共鳴信号を受信するのと実質的に同時に取得されるノイズ信号に前記変換を適用するステップを含む、
請求項８に記載の方法。
【請求項１１】
前記ノイズ信号は、前記少なくとも１つの一次コイルが前記磁気共鳴信号を受信するのと同時に前記少なくとも１つの補助コイルによって受信される、
請求項１に記載の方法。
【請求項１２】
前記第１の複数の較正信号の夫々は、前記第２の複数の較正信号のそれぞれの信号と実質的に同じ時間のセットで取得される、
請求項１に記載の方法。
【請求項１３】
前記変換を推定するステップは、関心のあるスペクトルにわたる複数の周波数ビンのそれぞれに関して前記変換を推定するステップを含む、
請求項１に記載の方法。
【請求項１４】
前記磁気共鳴イメージングシステムは、約  ．２Ｔ以下のＢ０場を発生させるように構成される、低磁場磁気共鳴イメージングシステムである、
請求項１に記載の方法。
【請求項１５】
前記低磁場磁気共鳴イメージングシステムは、約  ．１Ｔ以下のＢ０場を発生させるように構成される、
請求項１４に記載の方法。
【請求項１６】
磁気共鳴イメージング（ＭＲＩ）システムであって：
少なくとも１つの一次コイルと；
前記少なくとも１つの一次コイルと異なる少なくとも１つの補助センサと；
少なくとも１つのコントローラであって：
前記少なくとも１つの一次コイル及び前記少なくとも１つの補助センサに前記磁気共鳴イメージングシステムの環境から第１の複数の較正信号及び第２の複数の較正信号をそれぞれ取得させ、前記第１の複数の較正信号の各々は複数の値を含み、前記第２の複数の較正信号の各々は複数の値を含み；
前記少なくとも１つの補助センサによって受信されるノイズに適用されるとき、前記少なくとも１つの一次コイルによって受信されるノイズの推定値を提供する変換を、前記第１の複数の較正信号及び前記第２の複数の較正信号に基づいて、推定し；
前記変換を推定した後：
前記少なくとも１つの一次コイルに磁気共鳴信号を受信させ；
前記少なくとも１つの補助センサにノイズ信号を受信させ；
ノイズ推定値を得るために前記少なくとも１つの補助センサによって受信される前記ノイズ信号に前記変換を適用することによって前記少なくとも１つの一次コイルによって受信される前記磁気共鳴信号に存在するノイズを推定し；
前記のノイズ推定値を使用して前記磁気共鳴信号のノイズを抑制する；
ように構成される、少なくとも１つのコントローラと；
を有する、
ＭＲＩシステム。
【請求項１７】
前記第１の複数の較正信号は、関心のあるスペクトルにわたる複数の周波数ビンのそれぞれに関する複数の値を示す、
請求項１６に記載のＭＲＩシステム。
【請求項１８】
前記第１の複数の較正信号の離散フーリエ変換が、関心のあるスペクトルにわたる複数の周波数ビンのそれぞれに関する複数の値を提供する、
請求項１６に記載のＭＲＩシステム。
【請求項１９】
前記少なくとも１つの補助センサに前記第１の複数の較正信号を取得させることは、前記少なくとも１つの補助センサに少なくとも１０の較正信号を取得させることを含む、
請求項１６に記載のＭＲＩシステム。
【請求項２０】
前記少なくとも１つの補助センサに前記第１の複数の較正信号を取得させることは、前記少なくとも１つの補助センサに少なくとも１００の較正信号を取得させることを含む、
請求項１６に記載のＭＲＩシステム。
【請求項２１】
前記少なくとも１つの一次コイルは、前記磁気共鳴イメージングシステムの視野内に位置するときサンプルによって作り出される磁気共鳴信号を検出するように前記磁気共鳴イメージングシステムの前記視野内に配置され、前記少なくとも１つの補助センサは、前記視野の外側に配置される少なくとも１つの補助コイルを有する、
請求項１６に記載のＭＲＩシステム。
【請求項２２】
前記第１の複数の較正信号の夫々は、前記第２の複数の較正信号のそれぞれの信号と実質的に同じ時間のセットで取得されるようにされる、
請求項１６に記載のＭＲＩシステム。
【請求項２３】
前記少なくとも１つのコントローラは、実質的に同時に、前記少なくとも１つの補助センサに前記ノイズ信号を受信させ且つ前記少なくとも１つの一次コイルに前記磁気共鳴信号を受信させる、
請求項１６に記載のＭＲＩシステム。
【請求項２４】
前記少なくとも１つの補助センサは、異なるそれぞれの場所に配置される複数の補助コイルを有し、前記第１の複数の較正信号は、前記複数の補助コイルを使用して前記環境から取得される、
請求項１６に記載のＭＲＩシステム。
【請求項２５】
前記磁気共鳴信号に存在するノイズを推定することは、前記少なくとも１つの一次コイルが前記磁気共鳴信号を受信するのと実質的に同時に前記複数の補助コイルから取得されるノイズ信号に前記変換を適用することを含む、
請求項２４に記載のＭＲＩシステム。
【請求項２６】
前記少なくとも１つのコントローラは、関心のあるスペクトルにわたる複数の周波数ビンのそれぞれに関して前記変換を推定するように構成される、
請求項１６に記載のＭＲＩシステム。
【請求項２７】
前記少なくとも１つの補助センサは、少なくとも１つの補助ＲＦコイルを含む、
請求項１６に記載のＭＲＩシステム。
【発明の詳細な説明】
【背景技術】
【０００１】
磁気共鳴イメージング（ＭＲＩ）は、多数の応用のために重要なイメージングモダリティを提供し、人体内部の画像を作り出すために臨床及び研究環境において広く用いられている。概論として、ＭＲＩは、磁気共鳴（ＭＲ）信号を検出することに基づき、この磁気共鳴は、加えられる電磁場から生じる状態変化に応じて原子から放射される電磁波である。例えば、核磁気共鳴（ＮＭＲ）技術は、撮像されている物体における原子（例えば、人体の組織の原子）の核スピンの再整列又は緩和に際して励起された原子から放射されるＭＲ信号を検出することを含む。検出されるＭＲ信号は、画像を作り出すために処理されることがあり、この画像は、医療応用との関連で、診断、治療及び／又は研究目的のために、体内の内部構造及び／又は生物学的プロセスの調査を可能にする。
【０００２】
ＭＲＩは、他のモダリティの安全性への懸念なしに（例えば、患者を電離放射線、例えば、ｘ線にさらす必要なしに、又は体に放射性物質を導入する必要なしに）比較的高い解像度及びコントラストを有する非侵襲画像を作り出す能力のために、生物学的イメージングのための魅力的なイメージングモダリティを提供する。加えて、ＭＲＩは特に、軟組織コントラストを提供するのによく適し、これは、他のイメージングモダリティで満足にイメージングができない対象物を撮像するために利用されることができる。さらに、ＭＲ技術は、他のモダリティが取得できない構造及び／又は生物学的プロセスに関する情報を取り込むことができる。しかし、与えられたイメージング応用に関して、設備の比較的高いコスト、限定された利用可能性（例えば、臨床ＭＲＩスキャナにアクセスする難しさ）及び／又は画像取得プロセスの長さを含むＭＲＩの幾つかの欠点がある。
【０００３】
臨床ＭＲＩにおけるトレンドは、１又は複数のスキャン時間、画像解像度、及び画像コントラストを向上させるためにＭＲＩスキャナの磁場の強さ（field  strength）を増加させることであり、これは、コストを吊り上げさせ続けている。設置されたＭＲＩスキャナの大多数は、１．５又は３テスラ（Ｔ）で動作し、これは、主磁場Ｂ０の磁場の強さと称される。臨床ＭＲＩスキャナに関する大まかなコスト見積もりは、テスラにつき約１００万ドルであり、これは、このようなＭＲＩスキャナを運転するのに含まれる実質的な運転、サービス、及びメンテナンスコストを織り込んでいない。
【０００４】
これらの高磁場（high-field）ＭＲＩシステムは、典型的には、その中で物体（例えば、患者）が撮像される強い均一な静磁場（Ｂ０）を発生させるために大型の超伝導磁石及び関連電子機器を必要とする。このようなシステムのサイズは、磁石、電子機器、熱管理システム、及び制御コンソールエリアのための複数の部屋を含む典型的な高磁場ＭＲＩ据え付けとともに、相当である。高磁場ＭＲＩシステムのサイズ及び費用は、一般的に、それらを購入し維持する十分なスペース及び財源を有する病院及び学術研究センターのような施設にそれらの使用を限定する。高磁場ＭＲＩシステムの高いコスト及び相当なスペース要件は、ＭＲＩスキャナの制限された利用可能性をもたらす。そのようなものとして、ＭＲＩスキャンが有益であるが、以下にさらに詳述されるように、上述の制限の１又は複数のために、実用的でない又は不可能であるという臨床的状況がしばしばある。
【発明の概要】
【０００５】
本発明者は、環境から取得されるノイズ測定値に基づくノイズ抑制及び／又は回避技術を開発した。ノイズ測定値は、その後、環境ノイズを抑制すること、より少ないノイズを持つ周波数バンド又はビン（bin）で動作するように磁気共鳴イメージング（ＭＲＩ）システムを構成すること、又はその両方のいずれかによって、動作中にＭＲＩシステムによって検出されるＭＲ信号に存在するノイズを低減するために使用される。
【０００６】
幾つかの実施形態は、磁気共鳴イメージングシステムの環境におけるノイズを抑制する方法を含み、方法は、少なくとも１つの一次コイル及び少なくとも１つの補助センサそれぞれによる環境から得られた複数の較正測定値に基づいて伝達関数を推定するステップと、少なくとも部分的に伝達関数に基づいて少なくとも１つの一次コイルによって受信される磁気共鳴信号に存在するノイズを推定するステップと、ノイズ推定を使用して磁気共鳴信号のノイズを抑制するステップとを含む。
【０００７】
幾つかの実施形態は、磁気共鳴イメージングシステムを含み、磁気共鳴イメージングシステムは、少なくとも１つの一次コイルと、少なくとも１つの補助センサと、少なくとも１つの一次コイル及び少なくとも１つの補助センサに磁気共鳴イメージングシステムの環境から複数の較正測定値をそれぞれ取得させるように、並びにそれぞれの複数の較正測定値に基づいて伝達関数を推定するように構成される少なくとも１つのコントローラと、を有し、コントローラはさらに、少なくとも部分的に伝達関数に基づいて少なくとも１つの一次コイルによって受信される磁気共鳴信号に存在するノイズを推定するように、及びノイズ推定を使用して磁気共鳴信号のノイズを抑制するように構成される。
【０００８】
幾つかの実施形態は、磁気共鳴イメージング（ＭＲＩ）システムの環境におけるノイズを回避するようにＭＲＩシステムを動作させる方法を含み、方法は、関心のあるスペクトル内の複数の周波数ビンのそれぞれの中に存在する環境からの少なくとも１つのノイズ信号を取得するステップ、少なくとも部分的に、それぞれの少なくとも１つのノイズ信号に基づいて、複数の周波数ビンのうちの１つを選択するステップ、及び選択された周波数ビン内の周波数で動作するように、低磁場ＭＲＩシステムの少なくとも１つの一次送信／受信コイルを設定するステップ、を含む。
【０００９】
幾つかの実施形態は、磁気共鳴イメージング（ＭＲＩ）システムの環境におけるノイズを回避するように異なるモードで動作するように構成されることができるＭＲＩシステムであって、ＭＲＩシステムは、磁気共鳴信号を検出する少なくとも１つの一次送信／受信コイル、並びに、少なくとも１つのコントローラであって、関心のあるスペクトル内の複数の周波数ビンのそれぞれの中に存在する環境からの少なくとも１つのノイズ信号を取得するように、少なくとも部分的に、それぞれの少なくとも１つのノイズ信号に基づいて、複数の周波数ビンのうちの１つを選択するように、及び選択された周波数ビン内の周波数で動作するように少なくとも１つの一次送信／受信コイルを設定するように、構成される、少なくとも１つのコントローラ、を有する。
【００１０】
幾つかの実施形態は、磁気共鳴イメージングシステムの環境で検出されるノイズを抑制する方法を含み、方法は、第１の空間エンコーディングを使用して第１のパルスシーケンスを適用することによって少なくとも１つの第１の磁気共鳴信号を取得するステップ、第１の空間エンコーディングを使用して第１のパルスシーケンスを適用することによって少なくとも１つの第２の磁気共鳴信号を取得するステップ、少なくとも１つの第１の磁気共鳴信号と少なくとも１つの第２の磁気共鳴信号との間の差を計算するステップ、及び少なくとも部分的に、計算された差に基づいてノイズを推定するステップ；を含む。
【００１１】
幾つかの実施形態は、磁気共鳴イメージングシステムの環境で検出されるノイズを抑制する装置を含み、システムは、磁気共鳴信号を検出するように構成される少なくとも１つの受信コイル、空間エンコーディングのための少なくとも１つの勾配コイル、並びに少なくとも１つのコントローラであって、少なくとも１つの第１の磁気共鳴信号を取得するよう第１の空間エンコーディングを使用して第１のパルスシーケンスにしたがって、少なくとも１つの受信コイル及び少なくとも１つの勾配コイルを作動させるように、少なくとも１つの第２の磁気共鳴信号を取得するよう第１の空間エンコーディングを使用して第１のパルスシーケンスにしたがって、少なくとも１つの受信コイル及び少なくとも１つの勾配コイルを作動させるように、少なくとも１つの第１の磁気共鳴信号と少なくとも１つの第２の磁気共鳴信号との間の差を計算するように、及び少なくとも部分的に、計算された差に基づいてノイズを推定するように；構成される、少なくとも１つのコントローラ；を含む。
【図面の簡単な説明】
【００１２】
開示される技術の様々な態様及び実施形態が、以下の図を参照して説明される。図面は必ずしも正確な縮尺でないことが理解されるべきである。
【図１】磁気共鳴イメージング（ＭＲＩ）システムの例証の構成要素のブロック図を示す。
【図２】本明細書に記載される技術の幾つかの実施形態による、ノイズ抑制を実行するために使用されるＭＲＩシステムの例示の構成要素を示す。
【図３】本明細書に記載される技術の幾つかの実施形態による、ノイズ抑制を実行するために使用されるＭＲＩシステムの例示の構成要素を示す。
【図４】本明細書に記載される技術の幾つかの実施形態による、ノイズ抑制を実行するために使用されるＭＲＩシステムの例示の構成要素を示す。
【図５】本明細書に記載される技術の幾つかの実施形態による、ノイズ抑制を実行するために使用されるＭＲＩシステムの例示の構成要素を示す。
【図６】本明細書に記載される技術の幾つかの実施形態による、ノイズ抑制を実行するための例証のプロセスのフローチャートである。
【発明を実施するための形態】
【００１３】
ＭＲＩスキャナのマーケットは、高磁場システムによって圧倒的に支配され、医療又は臨床ＭＲＩ応用に関してはそれが独占的である。上述のように、医療イメージングにおける一般的なトレンドは、ますます大きい磁場の強さを持つＭＲＩスキャナを作ることであり、臨床ＭＲＩスキャナの大多数は１．５Ｔ又は３Ｔで動作し、７Ｔ及び９Ｔの高磁場強さが研究環境において使用されている。本明細書で使用されるとき、「高磁場（high-field）」は、概して臨床環境で目下使用されるＭＲＩシステムを、より具体的には、１．５Ｔ以上の主磁場（すなわち、Ｂ０場）で動作するＭＲＩシステムを指すが、  ．５Ｔから１．５Ｔの間ので動作する臨床システムも一般に「高磁場」とみなされる。対照的に、「低磁場（low-field）」は、概して、約０．２Ｔ以下のＢ０場で動作するＭＲＩシステムを指す。
【００１４】
高磁場ＭＲＩシステムの魅力は、低磁場システムに比べて改良された解像度及び／又は減少したスキャン時間を含み、臨床及び医療用ＭＲＩシステム応用に関してますます高い強さのための努力に動機を与える。しかし、上述のように、ＭＲＩシステムの磁場強さを増加させることは、ますます高価で複雑なＭＲＩスキャナをもたらし、したがって、利用可能性を制限するとともに、多目的の及び／又は一般に利用できるイメージング解決法としてのそれらの使用を妨げる。
【００１５】
低磁場ＭＲＩが、非イメージング研究目的及び狭く且つ特定の造影イメージング応用の限定された状況で探究されているが、慣習的に、臨床的に有用な画像を作るのに適していないと見なされている。例えば、解像度、コントラスト、及び／又は画像取得時間は概して、限定されるものではないが、組織識別（tissue  differentiation）、血流又は灌流イメージング、拡散強調（ＤＷ）又は拡散テンソル（ＤＴ）イメージング、ファンクショナルＭＲＩ（ｆＭＲＩ）等のような、臨床目的のために適していると見なされていない。
【００１６】
発明者は、病院及び研究施設における大型ＭＲＩの据付けを越えて、様々な環境におけるＭＲＩ技術の広範囲の配置可能性を向上させることができる、改良された品質の、ポータブルな及び／又はより低いコストの低磁場ＭＲＩシステムを作り出すための技術を開発した。このようなものとして、低磁場ＭＲＩは、魅力的なイメージング解決法を提示し、高磁場ＭＲＩに代わる、比較的低コストの、高い利用可能性を提供する。特に、低磁場ＭＲＩシステムは、例えば、輸送可能、運搬可能（cartable）又は必要な所で展開できるようにその他の方法で概して移動可能（mobile）であるおかげで、高磁場システムができない広範囲の臨床環境で展開可能である自己完結型（self-contained）システムとして実装されることができる。結果として、このような低磁場ＭＲＩシステムは、概してシールドされていない又は部分的にシールドされた環境（例えば、特別にシールドされた部屋又は周囲を取り囲むケージの外側）で動作すること及びそれらが展開される特定のノイズ環境に対処することが期待され得る。
【００１７】
発明者の貢献の幾つかの態様は、フレキシブル低磁場ＭＲＩシステム（例えば、概して移動可能、輸送可能若しくは運搬可能なシステム及び／又は救急室、オフィス又は診療所のような様々な環境に設置されることができるシステム）の性能が、特に、ＲＦ干渉のようなノイズに対して弱いことがあるという彼らの認識から生じ、このノイズに対して、従来の高磁場ＭＲＩシステムは、広範囲のシールドを伴う特殊な部屋に設置されているためにほとんど影響されない。特に、このようなシステムは、シールドされていない又は部分的にシールドされた環境で、並びに取り組むためのノイズの異なる及び／又は可変のソースを有し得る多数の環境で動作することを必要とされ得る。
【００１８】
柔軟に且つ広範囲に展開されることができる低磁場ＭＲＩシステムを促進するために、本発明者は、不必要なノイズを除去若しくは軽減するために又は低磁場システムの動作へのその影響を減少させるために、低磁場ＭＲＩシステムで使用するためのノイズ抑制技術を開発した。幾つかの実施形態によれば、ノイズ抑制及び／又は回避技術は、環境から取得されるノイズ測定値に基づく。ノイズ測定値は、その後、環境ノイズを抑制すること、より少ないノイズを有する周波数バンド又はビンで動作するように低磁場ＭＲＩシステムを設定すること、又は両方のいずれかによって、動作中に低磁場ＭＲＩシステム（例えば、約．２Ｔ以下、約．１Ｔ以下、約５０ｍＴ以下、約２０ｍＴ以下、約１０ｍＴ以下等のＢ０場を有するシステム）によって検出されるＭＲ信号に存在するノイズを減少させるために使用される。したがって、低磁場ＭＲＩシステムは、システムが展開されるどんな環境に存在するノイズも補償し、そのために、シールドされていない又は部分的にシールドされた環境で動作することができるとともに、特殊なシールドされた部屋に制限されない。
【００１９】
本発明者によって開発されたノイズ抑制技術は、以下により詳細に説明され、本明細書に記載されるノイズ抑制技術は、携帯型及び運搬可能なＭＲＩシステムを含む、実質的に任意の施設で展開される任意の適切な低磁場又は高磁場ＭＲＩシステムで使用され得る。本明細書に記載されるノイズ抑制技術が使用され得る低磁場ＭＲＩシステムの非限定の例は、２０１５年９月４日に出願され且つ“Low  Field  Magnetic  Resonance  Imaging  Methods  and  Apparatus”と題する、代理人整理番号O0354.70000US01の下に共に出願された米国特許出願に記載されている、及び／又は２０１５年９月４日に出願され且つ“Thermal  Management  Methods  and  Apparatus”と題する、代理人整理番号O0354.70004US01の下に共に出願された米国特許出願に記載され、これらのそれぞれは本明細書にその全体が参照により援用される。本明細書に記載されるノイズ抑制の態様は、広範囲のシールドが利用不能又は相でなければ提供されないことがある低磁場状況において特に有益であり得るが、本明細書に記載される技術が、高磁場状況においても適切であり、如何なる特定のタイプのＭＲＩシステムでの使用にも限定されないことが理解されるべきである。
【００２０】
したがって、本明細書に記載される技術の態様は、ＲＦ干渉のようなノイズの存在がこのようなシステムの性能に悪影響を及ぼすことがある低磁場ＭＲＩシステムの性能を向上させることに関する。幾つかの実施形態では、低磁場ＭＲＩシステムは、ノイズ（例えば、環境ノイズ、内部システムノイズ、無線周波数干渉等）を検出するように、及び、それに応じて、システムの動作へのノイズの影響を減少させるように低磁場ＭＲＩシステムを適合させるように構成され得る。低磁場ＭＲＩシステムは、ＲＦ受信コイルによって取得されるＲＦ信号のノイズを抑制することによって、環境におけるノイズ（例えば、ＲＦ干渉）に破壊的に干渉するＲＦ信号を発生させることによって、送信／受信コイルが干渉から十分に逃れている周波数バンドで動作するように、低磁場ＭＲＩシステムによって作られる（例えば、Ｂ０磁石の磁場強度を調整すること）及び／又は受信される磁場の特性を調整することによって、又はこれらの技術の組合せを使用して、ノイズの影響を減少するように構成され得る。
【００２１】
幾つかの実施形態によれば、本明細書に記載されるノイズ抑制技術は、ＭＲＩシステムが、少なくとも部分的にＭＲＩシステムが展開される特定の環境にノイズ補償を適合させることによって、シールドされていない又は部分的にシールドされている環境で動作することを可能にする。結果として、ＭＲＩシステムの展開は、特別にシールドされた部屋又は他のカスタマイズされた施設に制限されず、代わりに、広範囲の環境で動作することができる。
【００２２】
幾つかの実施形態では、システムは、システムの環境の又はシステム自体の中の（例えば、ＲＦ干渉）のノイズに関する情報を取得するように、及び少なくとも部分的に、取得された情報に基づいて、ＲＦ受信コイルによって測定されるＲＦ信号のノイズを抑制するように構成され得る。システムは、１又は複数の補助センサを使用することによって環境のノイズに関する情報を取得するように構成され得る。用語「補助」は、ノイズを検出することができるセンサ又は検出器とＭＲＩで使用するＭＲ信号を受信する一次受信チャンネルとを区別するために使用される。幾つかの実施形態では、補助センサは１又は複数のＭＲ信号も受信し得ることが理解されるべきである。例えば、低磁場ＭＲＩシステムは、撮像されている対象によって放射されるＭＲ信号を検出することなしにＲＦノイズを検出するように、一次送信／受信コイル（複数可）隣接するが、Ｂ０場の視界の外側に位置する１又は複数の補助ＲＦ受信コイルを有し得る。補助ＲＦコイル（複数可）によって検出されるノイズは、ＭＲＩシステムの一次ＲＦコイルによって取得されるＭＲ信号のノイズを抑制するために使用され得る。
【００２３】
このような構成は、低磁場ＭＲＩシステムが動作する環境に応じて異なる及び／又は変化するレベルのＲＦノイズにさらされる可能性がある、例えば、概して輸送可能な及び／又は運搬可能な低磁場ＭＲＩシステムの提供を促進するために、ＲＦノイズを動的に検出するとともに抑制する能力を有する。すなわち、ノイズ抑制は、現在のノイズ環境に基づくので、本明細書に記載される技術は、システムが展開される特定の環境に特化したノイズ抑制能力を提供する。
【００２４】
本発明者は、一次受信コイル（複数可）によって測定された信号から１又は複数の補助センサによって取得されたノイズのサンプルを減じる単純化したアプローチが、たとえ補助センサ（複数可）によって検出されるノイズのゲインが調整されるとしても、不十分なノイズ抑制を提供し得ることを認識していた。一次受信コイル（複数可）及び補助センサ（複数可）は、異なる位置にあり得る、異なる向きを有し得る、及び／又は異なる物理的特性を有し得る（例えば、異なる数のコイル巻数を有し得る、サイズ、形状、インピーダンスが異なり得る、又は全く異なる種類のセンサであり得る）ので、一次受信コイル（複数可）及び補助センサ（複数可）は、異なるノイズ信号を測定し得る。
【００２５】
一次受信コイル（複数可）及び補助センサ（複数可）の異なる位置及び／又は向きは、一次コイル及び補助センサによって受信されるノイズ信号の特性の違いにつながり得る。一次コイル（複数可）と補助センサ（複数可）との間の異なる物理的な特性は、一次コイル（複数可）及び補助センサ（複数可）によって受信されるノイズ信号間の周波数依存性の差につながり得る。結果として、一次コイル（複数可）によって測定された信号から１又は複数の補助センサによって測定されたノイズを減じることは、一次コイル（複数可）によって検出されるノイズを適切に抑制しないことがある。たとえ補助センサ（複数可）によって測定されたノイズ信号が、一次コイル（複数可）及び補助センサ（複数可）によって受信されるノイズ信号のゲインにおける差を補償する試みで定数によって調整されるとしても、このような補償は、ノイズ信号における周波数依存性の差を説明しないだろう。
【００２６】
したがって、幾つかの実施形態では、伝達関数が、推定されるとともに、低磁場ＭＲＩシステムの１又は複数の一次受信コイルによって受信されるＲＦ信号におけるノイズを抑制するために使用される。以下により詳細に論じられるように、伝達関数は、１又は多数の補助センサ（例えば、１又は複数の補助ＲＦコイル及び／又は本明細書に記載される他の種類のセンサ）を介して受信されるノイズ信号を、一次受信コイル（又は多数の一次受信コイル）によって受信されるノイズの推定値に変換するように働き得る。幾つかの実施形態では、ノイズ抑制は：（１）１又は複数の補助センサを使用することによってノイズのサンプルを取得するステップ；（２）一次ＲＦコイルを使用してＭＲデータのサンプルを取得するステップ；（３）伝達関数を取得するステップ；（４）伝達関数を使用してノイズサンプルを変換するステップ；及び（５）ノイズを抑制及び／又は除去するために、取得したＭＲデータから変換されたノイズサンプルを減じるステップ、を含み得る。
【００２７】
伝達関数は、補助センサ（複数可）及び一次コイル（複数可）を使用して取得される多数の（例えば、少なくとも１０、少なくとも１００、少なくとも１０００等の）較正測定値から推定され得る。多数の較正測定値は、高精度で伝達関数を推定することを可能にし、特に、伝達関数が規定される周波数のスペクトルにわたる複数の周波数ビンに関する伝達関数の振幅及び位相を推定することを可能にし得る。例えば、Ｋ点ＤＦＴを使用して信号を処理するとき（例えば、Ｋは、１２８、２５６、５１２、１０２４等と等しい整数）、多数の測定値は、Ｋ周波数ビンのそれぞれに関する伝達関数の振幅及び位相を推定することを可能にし得る。
【００２８】
幾つかの実施形態では、複数の補助受信コイルが、低磁場ＭＲＩシステムの一次送信／受信コイル（複数可）によって受信されるノイズを抑制するために補助センサとして使用され得る。例えば、幾つかの実施形態では、低磁場ＭＲＩシステムは、撮像される対象によって放射されるＭＲ信号を検知するように位置決めされる／構成される複数のＲＦコイル（例えば、複数の「一次」コイル）及び／又はノイズデータを受信するように、しかし、ＭＲ信号をほとんど又は全く検出しないように位置決めされる／構成される複数のコイル（例えば、複数の「補助」コイル）を含み得る。このような構成は、与えられた環境に存在し得る様々なノイズを抑制するために複数のノイズ源の検出及び特性評価（characterization）を容易にする。複数の一次受信コイルもまた使用されることができ、それは、本明細書に記載されるノイズ特性評価技術に組み入れるとともに、並列ＭＲを介する、又は以下にさらに詳述される、他の適切な方法での画像取得を加速するために使用され得る。
【００２９】
幾つかの実施形態では、複数の補助センサが、低磁場ＭＲＩシステムの環境にノイズの複数のソースがあるとき、ノイズ補償を実行するために使用され得る。例えば、１又は複数の補助ＲＦコイル及び／又は１又は複数の他の種類のセンサが、複数のソースによって生み出されるノイズから生じるノイズ環境に関する情報を得るために使用されることができ、この情報は次に、複数のソースによって生み出されるノイズを補償するために、一次受信コイル（複数可）によって受信されるＲＦ信号を処理するために使用され得る。例えば、幾つかの実施形態では、マルチチャンネル伝達関数が、以下により詳細に記載されるように、複数の補助センサ及び一次ＲＦコイル（複数可）を使用して得られる較正測定値から推定され得る。マルチチャンネル伝達関数は、一次ＲＦコイル（複数可）及び複数の補助センサのそれぞれによって取り込まれるノイズ信号の間の関係を表し得る。例えば、伝達関数は、複数の補助センサによって受信されるノイズ信号の間の相関を捕え得る。伝達関数はまた、複数の補助センサによって受信されるノイズ信号及び一次ＲＦコイル（複数可）によって受信されるノイズ信号の間の相関を捕え得る。
【００３０】
幾つかの実施形態では、複数の補助センサは、（１）複数の補助センサを使用することによってノイズのサンプルを取得すること；（２）一次ＲＦコイル（複数可）を使用することによってＭＲデータのサンプルを取得すること；（３）マルチチャンネル伝達関数を取得すること；（４）マルチチャンネル伝達関数を使用してノイズサンプルを変換すること；及び（５）ノイズを抑制及び／又は除去するように取得されたＭＲデータから変換されたノイズサンプルを減じること；によってノイズ抑制を実行するために使用され得る。
【００３１】
幾つかの実施形態では、マルチチャンネル伝達関数は、複数の（例えば、少なくとも１０、少なくとも１００、少なくとも１０００等の）較正測定値から推定され得る。複数の較正測定値は、それにわたってマルチチャンネル伝達関数が規定される複数の周波数ビンに関する伝達関数の振幅及び位相を推定することを可能にし得る。例えば、Ｋ点ＤＦＴを使用して信号を処理するとき（例えば、Ｋは、１２８、２５６、５１２、１０２４等と等しい整数）、複数の較正測定値は、Ｋ周波数ビンのそれぞれに関するマルチチャンネル伝達関数の振幅及び位相を推定することを可能にし得る。
【００３２】
本発明者はさらに、１又は複数の一次受信コイルによって検出されるＭＲ信号もまたＭＲデータからノイズを抑制又は除去するためにノイズの特性を明らかにするために用いられ得ることを理解していた。特に、本発明者は、同じ空間エンコーディングを使用するＭＲデータ取得を繰り返すことによって（例えば、勾配コイルに関して同じ動作パラメータでパルスシーケンスを繰り返すことによって）、取得される「冗長」データがノイズの特性を明らかにするために使用されることができることを理解していた。例えば、パルスシーケンスが複数回同じ空間エンコーディングで繰り返されるとき、得られるＭＲデータは、理論的には、同じであるべきである。結果として、同じ空間エンコーディングを使用する複数の取得から取得される信号の差は、ノイズに起因していたと推測されることができる。したがって、同じ空間エンコーディングを使用することから得られる複数の信号は、位相シフトされるとともに、ノイズの大きさを得るために減算（又は加算）される。
【００３３】
幾つかの実施形態によれば、この方法で特性を明らかにされるノイズは、伝達関数を計算するために使用されることができる又は如何により詳細に論じられるように、マルチチャンネル伝達関数のチャンネルとして含まれることができる。代替的には、この方法で特性を明らかにされるノイズは、単独で又は取得されたＭＲ信号からノイズを抑制するための他の技術との組合せで使用されることができる。例えば、同じ空間エンコーディングを使用して得られる複数のＭＲ信号に基づいて得られるノイズ推定値が、他の適切な技術が使用され得るとき、伝達関数を計算することなしにノイズを抑制するために使用され得る。
【００３４】
本発明者はさらに、１又は複数のセンサ（例えば、１又は複数のＲＦコイル或いは電磁場を検出できる他のセンサ）が、送信／受信コイル（複数可）が特定された周波数バンドで動作するように設定され得るように、関心のあるスペクトル内のどのバンドがノイズの観点から最もクリーンであるかを評価するよう関心のあるスペクトルのノイズバックグラウンドを評価するために使用され得る。したがって、幾つかの実施形態では、低磁場ＭＲＩシステムは、送信／受信コイル（複数可）を調整することによって、送信／受信コイル（複数可）が動作するように設定されることができる他の周波数バンドに対してより少ない干渉を有する周波数バンドで動作するように適合され得る。例えば、１又は複数の補助ＲＦコイルは、一次ＲＦコイルが動作できる複数の周波数バンドにわたってノイズをモニタするように設定され得るとともに、一次ＲＦコイルは、補助ＲＦコイルを使用して得られる測定値によって決定される、ノイズの最少量を有する周波数バンドで動作するように設定され得る。特に、補助ＲＦコイルは、広帯域の周波数にわたってノイズレベル（例えば、ノイズフロア（noise  floor）を測定するように設定される広帯域ＲＦコイルであってよい。関心のある周波数バンドにわたって測定されるノイズに基づいて、（例えば、狭帯域コイルであり得る）一次送信／受信コイル（複数可）は、他の周波数バンドより小さいノイズを有するように決定されるバンドで動作するように設定され得る。代替的には、複数のセンサが設けられてよく、それぞれは、それぞれの周波数バンドにおけるノイズレベルを測定する。一次送信／受信コイル（複数可）はその結果、存在するノイズの最少量を有するように決定される周波数バンドで動作するように設定され得る。
【００３５】
本発明者はまた、低磁場ＭＲＩシステムに対する干渉のかなりのソースが、低磁場ＭＲＩシステムに電力を供給する１又は複数の電源線（例えば、電源コード）にあり得ることも理解していた。それに応じて、幾つかの実施形態では、低磁場ＭＲＩシステムは、電源線に起因する如何なる干渉も直接測定するように及びこのような干渉を抑制又はキャンセルするために測定値を使用するように構成される。例えば、幾つかの実施形態では、低磁場ＭＲＩシステムは、電源線によって生み出される又は運ばれる任意のＲＦ信号を測定するようにシステムの電源線に結合される１又は複数のセンサを含むことができ、センサ（複数可）によって得られた測定値は、（例えば、ノイズ環境の特性をさらに明らかにするとともに包括的な伝達関数の推定を容易にするために）本明細書に記載されるノイズ抑制技術の一部として使用され得る。
【００３６】
幾つかの実施形態では、低磁場ＭＲＩシステムは、システムの電源線の１つに容量的に結合されるアンテナを含み得るとともに、低磁場ＭＲＩシステムの一次ＲＦコイルによって受信されるＲＦ信号のノイズを抑制するためにアンテナによって得られる測定値を使用するように構成され得る。このようなアンテナは、任意の適切なタイプのものであってよく、例えば、電源線の周りに巻かれる薄い金属シート及び／又は電源線に結合される１若しくは複数のコンデンサを有してよい。低磁場ＭＲＩシステムは、例えば、単相、二相、又は三相電力を運ぶ活線を含む、システムに電力を供給する任意の所望の数の電源線から生じるノイズを検出する複数のこのようなアンテナを含み得る。幾つかの例では、低磁場ＭＲＩシステムは、アース線のためのこのようなアンテナを含み得る。他の例として、低磁場ＭＲＩシステムは、これらの測定値が低磁場ＭＲＩシステムの一次ＲＦコイルによって測定されるＲＦ信号のノイズを抑制するために使用され得るように、電源線によって運ばれるＲＦ信号を測定するために（例えば、環状体又は任意の他の適切な方法の使用によって）電源線又は複数のそれぞれの電源線に誘導結合されたセンサを含み得る。
【００３７】
幾つかの実施形態では、電源線に起因する干渉のセンサ測定値が、一次ＲＦ受信コイルとセンサとの間の伝達関数を推定することによって一次ＲＦ受信コイルによって測定されるＲＦ信号におけるノイズを抑制するために使用され得る。これは、任意の適切な方法で行われてよく、例えば、一次ＲＦ受信コイルと補助ＲＦ受信コイルとの間の伝達関数を推定するために本明細書に記載される方法を使用して行われてよい。例えば、この方法で特性を明らかにされるノイズは、伝達関数のみを推定するために使用され得る又はマルチチャンネル伝達関数のチャンネルであり得る。１又は複数の電源線結合されるセンサによって特性を明らかにされるノイズは、態様がこの点に限定されないところでは、他の方法で用いられてよい（例えば、ノイズを抑制するために直接使用されてよい）。
【００３８】
本発明者はさらに、環境におけるノイズが、１又は複数のセンサを１又は複数の電磁干渉（ＥＭＩ）シールドに結合することによって検出され得ることを理解していた。例えば、センサは、シールドによって捕えられるＥＭＩを検出するように１又は複数のＥＭＩシールドとグランドとの間に誘導的又は容量的に接続され得る。この方法で特性を明らかにされるノイズは、一次受信コイル（複数可）によって検出されるＭＲ信号からノイズを抑制又は除去するために使用され得る。例えば、センサを１又は複数のＥＭＩシールドに結合することによって特性を明らかにされるノイズは、伝達関数のみを推定するために使用され得る又はマルチチャンネル伝達関数のチャンネルとして使用され得る。１又は複数のＥＭＩシールドに結合されるセンサによって特性を明らかにされるノイズは、態様がこの点に限定されないところでは、他の方法で用いられてよい。
【００３９】
幾つかの実施形態によれば、様々なソースからのノイズが、様々なソースからのノイズを抑制又は除去するために使用されることができるマルチチャンネル伝達関数を決定するために上述の技術の組合せを使用して、特性を明らかにされる。ノイズ測定値は、マルチチャンネル伝達関数が動的に決定され得るようにＭＲＩシステムの動作中に得られることができ、ＭＲＩシステムの変化しているノイズ環境に適応するノイズ抑制を可能にする。しかし、環境におけるノイズは、システムが異なる場所に動かされるとき、システムの起動に際して、及び／又は任意のイベントの発生に際して、特性を明らかにされてよく、特性を明らかにされたノイズは、本明細書に記載される技術が要望通りに適用されることができるところでは、取得されたＭＲ信号におけるノイズを抑制及び／又は除去するために使用される。
【００４０】
以下は、ノイズ抑制及び／又はキャンセリング（cancellation）のための方法及び装置に関する様々な概念及びその実施形態のより詳細な説明である。具体的な実装の例が、説明目的だけのために本明細書に提供されている。加えて、以下の実施形態に記載される様々な態様は、単独で又は任意の組合せで使用されてよく、本明細書に明示的に記載される組合せに限定されない。
【００４１】
図１は、ＭＲＩシステム１００の例示的な構成要素のブロック図である。ノイズ抑制技術は、低磁場ＭＲＩシステムに関して特定の利点を有し得るが、本明細書に記載される技術は、低磁場での使用に限定されるものではなく、態様がこの点に限定されないところでは、高磁場環境におけるノイズを抑制するために用いられ得る。図１の説明例では、ＭＲＩシステム１００は、ワークステーション１０４、コントローラ１０６、パルスシーケンスストア部１０８、電力管理システム１１０、及び磁石コンポーネント１２０を有する。システム１００は例証であること及びＭＲＩシステムは、図１に示された構成要素に加えて又は同構成要素の代わりに任意の適切な種類の１又は複数の他の構成要素を有してよいことが理解されるべきである。
【００４２】
図１に示されるように、磁石コンポーネント１２０は、Ｂ０磁石１２２、シムコイル１２４、ＲＦ送信及び受信コイル１２６、並びに勾配コイル１２８を有する。Ｂ０磁石１２２は、少なくとも部分的に、主磁場Ｂ０を発生させるために使用され得る。Ｂ０磁石１２２は、主磁場（例えば、約０．２Ｔ以下の低磁場強度）を発生させることができる任意の適切な種類の磁石であってよく、１又は複数のＢ０コイル、補正コイル等を含んでよい。シムコイル１２４は、磁石１２２によって発生するＢ０場の均一性を向上させるために磁場（複数可）に寄与するように使用され得る。勾配コイル１２８は、勾配磁場を提供するように配置されることができ、例えば、ＭＲ信号がどこに誘起されるかを特定するために３つの実質的に直交する方向（Ｘ、Ｙ、Ｚ）における磁場の勾配を発生するように配置され得る。
【００４３】
ＲＦ送信及び受信コイル１２６は、磁場Ｂ１を誘起するようにＲＦパルスを発生させるために使用され得る１又は複数の送信コイルを有し得る。送信コイル（複数可）は、対象におけるＭＲ応答を引き起こすように設定される任意の適切な種類のＲＦパルスを発生させるように及び放射される結果として生じるＭＲ信号を検出するように構成され得る。ＲＦ送信及び受信コイル１２６は、１又は多数の送信コイル及び１又は多数の受信コイルを含み得る。送信及び受信コイルは、同じコイルを使用して実装され得る又は送信及び受信に付いて別個のコイルを使用して実装され得るとともに、一般的に、送信／受信コイル又はＴｘ／Ｒｘコイルと称される。磁石コンポーネント１２０のそれぞれは、任意の適切な方法で組み立てられ得る。例えば、幾つかの実施形態では、磁石コンポーネント１２０の１又は複数は、上述の援用される共に出願された出願に記載される積層技術を使用して製造され得る。
【００４４】
電力管理システム１１０は、動作電力を提示場ＭＲＩシステム１００の１又は複数の構成要素に供給する電子装置を含む。例えば、以下により詳細に論じされるように、電力管理システム１１０は、１又は複数の電源、勾配パワーアンプ、送信コイルアンプ、及び／又は低磁場ＭＲＩシステム１００の構成要素に通電し且つ動作させるための任意の他の適切な電子装置を含み得る。
【００４５】
図１に示されるように、電力管理システム１１０は、電源１１２、アンプ（複数可）１１４、送信／受信スイッチ１１６、及び熱管理コンポーネント１１８を有する。電源１１２は、低磁場ＭＲＩシステム１００の磁石コンポーネント１２０への作動電力を供給する電子装置を含む。例えば、電源１１２は、低磁場ＭＲＩシステムのための主磁場を提供する１又は複数のＢ０コイル（例えば、Ｂ０磁石）に作動電力を供給する電子装置を含み得る。幾つかの実施形態では、電源１１２は、単極、連続波（ＣＷ）電源であるが、任意の適切な電源が使用され得る。送信／受信スイッチ１１６は、ＲＦ送信コイル又はＲＦ受信コイルのどちらが動作されているかを選択するために使用され得る。
【００４６】
アンプ（複数可）１１４は、１又は複数のＲＦ受信コイル（例えば、コイル１２４）によって検出されるＭＲ信号を増幅する１又は複数のＲＦ受信（Ｒｘ）プリアンプ、１又は複数のＲＦ送信コイル（例えば、コイル１２６）に電力を供給するように構成される１又は複数のＲＦ送信（Ｔｘ）アンプ、１又は複数の勾配コイル（例えば、勾配コイル１２８）に電力を供給するように構成される１又は複数の勾配電力アンプ、１又は複数のシムコイル（例えば、シムコイル１２４）に電力を供給するように構成されるシムアンプ、を含み得る。
【００４７】
熱管理コンポーネント１１８は、低磁場ＭＲＩシステム１００の構成要素のための冷却を提供し、低磁場ＭＲＩシステム１００の１又は複数の構成要素によって生成される熱エネルギのこれらの構成要素から離れる伝達を促進することによってそれを行うように構成され得る。熱管理コンポーネント１１８は、限定なしに、水ベースの又は空気ベースの冷却を実行するコンポーネントを含むことができ、このコンポーネントは、限定されるものではないが、Ｂ０コイル、勾配コイル、シムコイル、及び／又は送信／受信コイルを含む熱を発生させるＭＲＩ構成要素と一体にされ得る又は同ＭＲＩ構成要素に近接して配置され得る。熱管理コンポーネント１１８は、低磁場ＭＲＩシステム１００の構成要素から離れて伝達するように、限定されるものではないが、空気又は水を含む、任意の適切な熱伝達媒体を含み得る。
【００４８】
図１に示されるように、低磁場ＭＲＩシステム１００は、電力管理システム１１０に指令を送信する及び電力管理システム１１０から情報を受信する制御電子装置を有するコントローラ１０６（コンソールとも称される）を含む。コントローラ１０６は、１又は複数のパルスシーケンスを実装するように構成されることができ、このパルスシーケンスは、所望のシーケンスで磁石コンポーネント１２０を動作させるように電力管理システム１１０へ送信される指令を決定するために使用される。例えば、コントローラ１０６は、バランス定常状態自由歳差（balance  steady-state  free  precession）（ｂＳＳＦＰ）パルスシーケンス、低磁場勾配エコーパルスシーケンス、低磁場スピンエコーパルスシーケンス、低磁場反転回復パルスシーケンス、及び／又は任意の他の適切なパルスシーケンスにしたがって磁石コンポーネント１２０を動作させるように電力管理システム１１０を制御するように構成され得る。コントローラ１０６は、態様がこの点に限定されないところでは、ハードウェア、ソフトウェア、又はハードウェアとソフトウェアの任意の適切な組み合わせとして実装され得る。
【００４９】
幾つかの実施形態では、コントローラ１０６は、パルスシーケンスリポジトリ１０８からパルスシーケンスに関する情報を得ることによってパルスシーケンスを実行するように構成されることができ、このパルスシーケンスリポジトリは、１又は複数のパルスシーケンスのそれぞれに関する情報を格納する。特定のパルスシーケンスのためにパルスシーケンスリポジトリ１０８によって格納される情報は、コントローラ１０６が特定のパルスシーケンスを実行することを可能にする任意の適切な情報であり得る。例えば、パルスシーケンスのためにパルスシーケンスリポジトリ１０８に格納される情報は、パルスシーケンスにしたがって磁石コンポーネント１２０を動作させるための１又は複数のパラメータ（例えば、ＲＦ送信及び受信コイル１２６を作動させるためのパラメータ、勾配コイル１２８を動作させるためのパラメータ等）、パルスシーケンスにしたがって電力管理システム１１０を動作させるための１又は複数のパラメータ、コントローラ１０６によって実行されるとき、コントローラ１０６に、パルスシーケンスにしたがって動作するようにシステム１００を制御させる１又は複数のプログラム、及び／又は任意の他の適切な情報を含み得る。パルスシーケンスリポジトリ１０８に格納される情報は、１又は複数の非一時的格納媒体に格納され得る。
【００５０】
図１に示されるように、コントローラ１０６はまた、受信したＭＲデータを処理するようにプログラムされるコンピューティングデバイス１０４と相互作用する。例えば、コンピューティングデバイス１０４は、任意の適切な画像再構成プロセス（複数可）を使用して１又は複数のＭＲ画像を生成するように受信されるＭＲデータを処理し得る。コントローラ１０６は、コンピューティングデバイスによるデータの処理のために１又は複数のパルスシーケンスに関する情報をコンピューティングデバイス１０４に提供し得る。例えば、コントローラ１０６は、コンピューティングデバイス１０４に１又は複数のパルスシーケンスに関する情報を提供し得るとともにコンピューティングデバイスは、少なくとも部分的に、提供される情報に基づいて、画像再構成プロセスを実行し得る。
【００５１】
コンピューティングデバイス１０４は、取得したＭＲデータを処理し得るとともに撮像される対象の１又は複数の画像を生成し得る任意の電子装置であり得る。幾つかの実施形態では、コンピューティングデバイス１０４は、デスクトップコンピュータ、サーバ、ラックマウントコンピュータ、又はＭＲデータを処理するとともに撮像される対象の１又は複数の画像を生成するように構成され得る任意の他の適切な固定電子デバイスのような固定電子デバイスであり得る。代替的には、コンピューティングデバイス１０４は、スマートフォン、携帯情報端末、ラップトップコンピュータ、タブレットコンピュータ、又はＭＲデータを処理するとともに撮像される対象の１又は複数の画像を生成するように構成され得る任意の他のポータブルデバイスのような、ポータブルデバイスであり得る。幾つかの実施形態では、コンピューティングデバイス１０４は、態様がこの点に限定されないところでは、任意の適切なタイプの複数のコンピューティングデバイスを有し得る。ユーザ１０２は、低磁場ＭＲシステム１００の態様を制御するために（例えば、特定のパルスシーケンスにしたがって動作するようにシステム１００をプログラムする、システム１００の１又は複数のパラメータを調整する等）及び／又は低磁場ＭＲＩシステム１００によって得られる画像を見るためにワークステーション１０４と相互にやり取りし得る。
【００５２】
図２は、本明細書に記載される技術の実施形態による、ノイズ抑制を実行するために使用され得る例示のＭＲＩシステムの一部の例証の構成要素を示している。例えば、送信／受信システム２００は、上記の援用される共に出願された特許出願に記載される例示のシステムのいずれかのような、低磁場ＭＲＩシステムの送信／受信機器の少なくとも一部（例えば、送信／受信コイル１２６、１又は複数のコントローラ等）を形成し得る。送信／受信システム２００は、撮像される対象２０４の励起原子から放射されるＭＲ信号を検出するように、及び以下により詳細に論じられるように、検出されたＭＲ信号から特性を明らかにされたノイズを抑制する又は除去するために環境におけるノイズの特性を明らかにするように、構成される。
【００５３】
図２に示されるように、送信／受信システム２００は、励起パルスシーケンス（例えば、パルスシーケンスリポジトリ１０８から選択されるとともにコントローラ１０２によって実行されるパルスシーケンス）に応じて対象２０４によって放射されるＭＲ信号を測定するように構成される一次ＲＦ受信コイル２０２を有する。励起パルスシーケンスは、一次ＲＦ受信コイル２０２によって及び／又は対象２０４に近接して配置されるとともに動作されるとき適切なＭＲパルスシーケンスを作り出すように構成される１又は複数の他の送信ＲＦコイルによって作り出され得る。一次受信コイル２０２は、シングルコイルであってよい又は複数のコイルであってよく、これは、後者の場合、並列ＭＲＩを実行するために使用され得る。同調回路２０８は、一次受信コイル２０２の動作を容易にするとともにＲＦコイル（複数可）２０２によって検出される信号が取得システム２１０に提供され、この取得システムは、検出された信号を増幅し得る、検出された信号をデジタル化し得る、及び／又は任意の他の種類の処理を実行し得る。
【００５４】
送信／受信システム２００はまた、補助センサ（複数可）２０６を含み、この補助センサは、環境におけるノイズソース及び／又はＭＲＩシステム自体によって作り出される環境ノイズを検出する又は別な方法で測定するように構成される任意の数又はタイプのセンサ（複数可）を含み得る。補助センサ（複数可）２０６によって測定されるノイズは、特性を明らかにされ得るとともに以下により詳細に記載される技術を使用して一次ＲＦコイル（複数可）２０２によって検出されるＭＲ信号のノイズを抑制するために使用され得る。取得システム２１０が、ＲＦコイル（複数可）２０２及び補助センサ（複数可）２０６によって検出される信号を処理した後、取得システム２１０は、さらなる処理のために（例えば、対象２０４の１又は複数のＭＲ画像を形成することにおける使用のために）ＭＲシステムの１又は複数の他の構成要素に処理された信号を提供し得る。取得システム２１０は、任意の適切な回路を有し得るとともに、例えば、本明細書に記載される実施形態にしたがってノイズ抑制を実行するようにＭＲＩシステムを制御するように構成される１又は複数のコントローラ及び／又はプロセッサを有し得る。図２に示される構成要素は、ＭＲＩシステムによって生成されたＭＲ信号を検出するように構成され得るとともに、例えば、ＲＦコイルは、上記の援用される共に出願された出願に記載されるものと同様若しくは同じであり得る、又は任意の他の適切なタイプのコイルであり得る。
【００５５】
幾つかの実施形態では、補助センサ（複数可２０６）は、図３に示されるように、ＭＲＩシステムが動作している環境の１又は複数のノイズソースからノイズを測定するように構成される。幾つかの例では、補助ＲＦコイル（複数可）３０６は、コイル自体によって生成される任意のノイズより周囲ノイズに実質的により高感度であるように構成され得る。例えば、補助ＲＦコイル３０６は、補助コイルが補助コイル自体によって生成されるノイズより環境からのノイズにより高感度であるように、十分に大きい開口及び／又は巻き数を有し得る。幾つかの実施形態では、補助ＲＦコイル（複数可）３０６は、一次ＲＦコイル（複数可）２０２より大きい開口及び／又は大きい数の巻き数を有し得る。しかし、補助ＲＦコイル（複数可）３０６は、この点に関して一次ＲＦコイルと同じであり得る及び／又は、本明細書に記載される技術が任意の特定のコイルの選択に限定されないところでは、他の点に関して一次ＲＦコイル（複数可）２０２と異なり得る。例えば、幾つかの実施形態では、異なるタイプの補助センサが、以下により詳細に論じられるように、ＲＦコイルタイプセンサの代わりに使用される。
【００５６】
図３の例証的な実施形態では、補助ＲＦコイル（複数可）３０６は、一次ＲＦコイル２０２から距離３０５離れて位置する。距離３０５は、補助コイル（複数可）３０６が、イメージングの間にサンプルによって放射される検知ＭＲ信号を開始するようにサンプル２０４から十分離れているように選択され得るが、そうでなければ、補助コイル（複数可）３０６が一次コイル（複数可）２０２によって検出されるノイズと同様のノイズを検出するように、一次ＲＦコイル２０２と出来る限り近くに配置され得る。この方法では、補助コイル（複数可）３０６によって測定されるとともに本明細書で論じられる技術を使用して（例えば、検出されたＭＲ信号に存在するノイズを抑制する及び／又は除去するために使用されることができる伝達関数を、少なくとも部分的に、計算するために検出されたノイズを使用することによって）特性を明らかにされる１又は複数のノイズソースからのノイズは、一次コイル（複数可）２０２によって検出されるノイズを表し得る。補助コイル（複数可）３０６は、ＲＦコイルである必要はないが、本明細書に記載される技術が任意の特定のタイプのセンサと一緒の使用に限定されないところでは、ＭＲＩシステムの性能に影響を与え得る環境におけるノイズを検出又は測定することができる任意のタイプのセンサであってよいことが理解されるべきである。
【００５７】
幾つかの実施形態によれば、補助センサ（複数可）２０６は、図４に概略的に示されるように、ＭＲＩシステムの１又は複数の構成要素にセンサ（複数可）を結合することによってノイズを測定するように構成される１又は複数の補助センサ４０６を含み得る。例えば、補助センサ４０６は、ＭＲＩシステムの１又は複数の構成要素に結合された又は別の方法でＭＲＩシステムによって作り出されるノイズを検出するように配置される１又は複数のセンサを含み得る。上で論じられたように、電源ケーブルは、高頻度で、ＭＲＩシステムの動作に負の影響を与えることができるノイズのソースであり、特に、１又は複数の一次コイルによって検出されるノイズを作り出し得る。幾つかの実施形態によれば、補助センサ（複数可）４０６は、そこから作り出されるノイズを検出するようにシステムの１又は複数の電源ケーブルに（例えば、容量的又は誘導的に）結合される１又は複数のセンサを含む。検出されたノイズは、特性を明らかにされ得るとともに、例えば、補助センサ（複数可）４０６によって検出されるノイズの特性を明らかにする伝達関数を、少なくとも部分的に、作り出すように検出されたノイズを使用することによって、又は検出されるＭＲ信号に直接的に適用されることによって、検出されるＭＲ信号からノイズを抑制するために使用され得る。
【００５８】
上で論じられたように、低磁場レジームは、多種多様な状況で用いられることができる及び／又はある場所から他の場所に大抵輸送されることができるシステムを促進し得る。結果として、低磁場ＭＲＩシステムは、特別にシールドされた部屋の外でしばしば動作する。したがって、幾つかの低磁場ＭＲＩシステムは、シールドされた構成要素に少なくとも幾つかのＥＭＩが達するのを防ぐためにシステムの１又は複数の構成要素の部分的なシールドを用い得る。本発明者は、１又は複数のセンサをシステムの１又は複数のＥＭＩシールド（例えば、１又は複数の構成要素のファラデーケージ又は同様のもの）に結合することによって、１又は複数のＥＭＩシールドによって吸収されるノイズが測定され、特性を明らかにされ、検出されたＭＲ信号からノイズを抑制する及び／又は除去するために使用されることができることを理解していた。幾つかの実施形態によれば、補助センサ（複数可）４０６は、ノイズ抑制を促進するために使用されることができるＥＭＩシールドによって吸収されるノイズを測定するために、１又は複数のＥＭＩシールドとグランドとの間に結合される１又は複数のセンサを含む。例えば、ＥＭＩシールドから検出されるノイズは、少なくとも部分的に、検出されるＭＲ信号からノイズを抑制及び／又は除去するのに用いられることができる伝達関数を計算するために使用され得る。補助センサ（複数可）４０６は、態様がこの点に限定されないところでは、ノイズを検出できる任意の他の種類のセンサを含んでよい。
【００５９】
幾つかの実施形態によれば、補助センサ（複数可）２０６は、図５に示されるように一次コイル（複数可）それ自体を含み、一次ＲＦコイル（複数可）は、一次ＲＦコイル（複数可）が幾つかの状況において両方の役割を実行し得るとき、システムのための一次受信コイル２０２及び補助センサ５０６両方として標識を付けられる。上で論じられたように、本発明者は、あるパルスシーケンスが、同様にその上のノイズを抑制するために一次コイル（複数可）から取得される信号を使用することを容易にすることを認識していた。パルスシーケンスは、概して、ＭＲ応答を誘起するように、規定されたシーケンスで送信コイル（複数可）及び勾配コイル(複数可)を動作させることを指す。同じ空間エンコーディングを使用して同じパルスシーケンスを繰り返すことによって、「冗長」ＭＲ信号が、得られることができるとともにＭＲ信号に存在するノイズを推定するために使用されることができる。
【００６０】
低磁場ＭＲＩの比較的低い信号対雑音比（ＳＮＲ）に取り組むために、パルスシーケンスが用いられており、これは、（例えば、同じ方法で勾配コイルを駆動するように同じ動作パラメータを用いてパルスシーケンスを繰り返すことによって）同じ空間エンコーディングを使用するＭＲデータ取得を繰り返す。多数の取得にわたって得られたＭＲ信号は、ＳＮＲを増加させるために平均化される。例えば、バランス定常状態自由歳差（ｂＳＳＦＰ）パルスシーケンスが、多数の取得にわたってＭＲデータを迅速に得るために使用されることができ、この取得は、次に、ＳＮＲを増加させために共に平均化される。用語「平均」は、ここでは、絶対平均（absolute  average）（例えば、平均（mean））、荷重平均、又は多数の取得からＭＲデータを組み合わせることによってＳＮＲを増加させるために使用されることができる任意の他の技術を含む、信号を組み合わせるための任意の種類のスキームを説明するために使用されている。ｂＳＳＦＰパルスシーケンスは、連続するＭＲデータ取得の間でＢ０場と再整列するように、正味の磁化のための待ち時間（waiting）を必要としない（例えば、連続的な取得は、０に減少するように横磁化ベクトルのために待つ必要無しに得られ得る）ので、多数の取得が迅速に得られ得る。しかし、任意のパルスシーケンスが、態様がこの点に限定されないところでは、同じ場所において多数の取得を実行するために使用されることができる。
【００６１】
本発明者は、同じ空間エンコーディングを使用して実行される多数の取得の間に得られるＭＲデータが、検出されるＭＲ信号からノイズを抑制及び／又は除去するために使用され得ることを理解していた。上で論じられたように、多数のシーケンスが、同じ空間エンコーディングでパルスシーケンスを繰り返すことによって実行されるとき、得られるＭＲ信号は同じ又はほぼ同じはずであり、差はノイズに起因し得る。このようなものとして、多数の取得にわたって得られたＭＲ信号をシフトさせるとともに信号間の差を計算する位相が、ＭＲデータを破壊する（corrupting）ノイズを評価するための手段を提供する。差は、位相シフト及び用いられるパルスシーケンスの種類に応じて位相シフトＭＲ信号を加算又は減算のいずれかをすることによって、得られ得る。例えば、ｂＳＳＦＰパルスシーケンスは、差が、位相を適切にシフトされているＭＲ信号に加えることによって計算され得るように、その後の取得でパルスシーケンスの極性を反転させる。しかし、極性を反転させない他のパルスシーケンスを使用して得られるＭＲ信号は、多数のＭＲ取得の間の差を得るために適切に位相シフトされた後、減算され得る。同じ空間エンコーディングを使用して得られる多数の取得（例えば、１０、２０、５０、１００、１５０又はそれより多い）は、十分大きいＳＮＲを達成するために低磁場環境で既に実行され（るとともに平均化され）得るので、ノイズ推定値を計算するために取得の１又は複数を使用することは、仮にそうであるとしても、実質的に取得時間を増加させない。
【００６２】
同じ空間エンコーディングを用いて多数の取得にわたって得られた計算されたノイズ（例えば、ＭＲ信号間の差）は、検出されたＭＲ信号のノイズを抑制及び／又は除去するために使用されることができる。幾つかの実施形態によれば、上述の技術にしたがって計算されたノイズは、如何により詳細に論じられる方法でノイズを抑制及び／又は除去するために使用されることができる伝達関数を、少なくとも部分的に、決定するために使用され得る。しかし、多数のＭＲ取得の間の差を決定することによって計算されたノイズは、態様がこの点に限定されないところでは、ノイズを抑制及び／又は除去するために他の方法で用いられることができる。例えば、同じ場所から得られた多数のＭＲ取得の間の差を決定することに基づいて計算されるノイズは、検出されるＭＲ信号に直接適用され得る又はさらなる処理の後に適用され得る。同じ空間エンコーディングを使用して得られる多数の取得を比較することによって計算されるノイズは、検出されるＭＲ信号からノイズを動的に抑制及び／又は除去するために使用されることができることが理解されるべきである。この方法では、ノイズキャンセリングが、環境における変化するノイズ状況に動的に適合する。
【００６３】
上で論じられたように、１又は複数の補助センサは、この幾つかの例は前述されているが、１又は複数のノイズソースからのノイズの特性を明らかにするために及び／又は検出されるＭＲ信号からノイズを抑制及び／又は除去するために使用され得る。幾つかの実施形態によれば、１又は複数の補助センサによって検出されるノイズは、検出されたノイズを１又は複数の一次受信コイルによって検出されるノイズの近似値に変換するために使用されることができる伝達関数を決定するために使用される。幾つかの実施形態によれば、１又は複数の補助センサによって検出されるノイズは、伝達関数を使用することなしにノイズを抑制するために検出されるＭＲ信号に適用される。
【００６４】
非限定の例として、ノイズ抑制構成要素（例えば、図２−５に示される取得システム２１０）は、以下の式により、補助センサ２０６によって検出される、信号ｓａｕｘ（ｔ）、及び一次から補助センサ（ＰＡ）伝達関数ＨＰＡ（ω）を使用することによって、一次ＲＦコイル２０２によって検出される、信号ｓｐｒｉ（ｔ）におけるノイズを抑制することができ、
2020121137.tif 000003
ここでＳａｕｘ（ω）はｓａｕｘ（ｔ）のフーリエ変換であり、Ｆ−１｛｝は逆フーリエ変換演算子であり、ｓｃｏｍｐ（ｔ）は、ノイズが抑制された信号である。式（１）のノイズ補償計算は、多数の方法のいずれかで実行されてよく、例えば、本明細書に記載されるノイズ抑制技術がこの点に限定されないところでは、周波数領域又は時間領域で実行され得る。ＰＡ伝達関数を推定するための例示的な技術は、以下により詳細に記載される。
【００６５】
図６は、本明細書に記載される技術の幾つかの実施形態による、ノイズ抑制を実行するための例証的なプロセス６００のフローチャートであり、例示の伝達関数を決定するための技術の詳細な説明を含み、最初に補助センサと一次受信コイルとの間の伝達関数に関して、多数の補助センサと一次受信コイルとの間の伝達関数（マルチチャンネル伝達関数）の説明が続く。シングル又はマルチチャンネル伝達関数が、この点でノイズキャンセリングが任意の数及び種類の補助センサ並びに任意の数及び種類の受信コイルを使用して実行されることができるように、任意の数の受信コイルに関して計算され得ることが理解されるべきである。プロセス６００は、任意の適切なＭＲＩシステムの構成要素によって実行されることができ、例えば、図１を参照して記載されたＭＲＩシステム１００の構成要素及び図２−５に示された関連する構成要素によって実行され得る。
【００６６】
プロセス６００は、動作６０２及び６０４で始まり、ＭＲＩシステムは、一次ＲＦコイル（例えば、ＲＦコイル２０２）を使用してＭＲデータを得るとともに１又は複数の補助センサ（例えば、１又は複数のＲＦコイル３０６及び／又は１又は複数の他のセンサ２０６、４０６、５０６、等）を使用してノイズデータを得る。上で論じられたように、任意の数の任意の種類の補助センサが、ＭＲＩシステムの環境におけるノイズの特性を明らかにするために使用され得る。ノイズ抑制技術の態様を説明するために、一次ＲＦコイル及び補助センサの場合が最初に検討される。一次ＲＦコイル及び補助センサは、補助センサによって取得されるノイズデータが、一次ＲＦコイルによって取得されるＭＲデータのノイズを抑制するために使用され得るように、実質的に同時にＭＲ及びノイズデータを得るために動作し得る。
【００６７】
一次ＲＦコイルによって得られる信号は、撮像されているサンプルによって放射されるＭＲ信号及びノイズの両方を含み得る。例えば、ｓｐｒｉ（ｔ）が、一次ＲＦコイルによって測定される全信号を表す場合、ｓｐｒｉ（ｔ）は：
ｓｐｒｉ（ｔ）＝ｍｐｒｉ（ｔ）＋ｎｐｒｉ（ｔ）
と表わされ、ここでｍｐｒｉ（ｔ）及びｎｐｒｉ（ｔ）は、一次ＲＦコイルによって測定された全信号のＭＲ信号及びノイズ成分を表す。補助センサが（一次ＲＦコイル及び撮像されているサンプルに対する補助センサの配置のために）ごく少量のＭＲ信号を測定することを仮定すると、補助センサによって測定される信号は、大部分は周囲のＲＦノイズを含む。例えば、ｓａｕｘ（ｔ）が補助センサによって測定される全信号を表す場合、ｓａｕｘ（ｔ）は：
ｓａｕｘ（ｔ）＝ｎａｕｘ（ｔ）
にしたがって表わされることができ、ここでｎａｕｘ（ｔ）は補助センサによって測定されるノイズである。
【００６８】
上で論じられたように、一次ＲＦコイル及び補助センサによって測定された信号のノイズ成分は、一次コイルと補助センサとの間の物理的な違い並びに場所及び向きの違いのために、異なり得る（例えば、ｎｐｒｉ（ｔ）はｎａｕｘ（ｔ）と異なり得る）。しかし、本発明者は、一次ＲＦコイル及び補助センサによって測定されたノイズ信号間の関係が、両者が１又は複数の共通のソースからのノイズを測定しているので、確立され得ることを理解していた。このような関係は、幾つかの実施形態では、以下に詳述されるように一次から補助への伝達関数ＨＰＡ（ω）によって表され得る。
【００６９】
例えば、幾つかの実施形態では、ノイズ信号ｎｐｒｉ（ｔ）及びｎａｕｘ（ｔ）のそれぞれは、限定されるものではないが、低磁場ＭＲＩシステムの環境の１又は複数のソースからのノイズ、一次ＲＦコイル及び／又は補助センサによって生成されるノイズ、並びにＭＲＩシステムの１又は複数の他の構成要素によって生成されるノイズ（例えば、同調回路、取得システム、電源ケーブル、等によって生成されるノイズ）を含む幾つかの独立したソースからのノイズを含み得る。したがって、例えば、ノイズ信号ｎｐｒｉ（ｔ）及びｎａｕｘ（ｔ）は：
ｎｐｒｉ（ｔ）＝ｃｐｒｉ（ｔ）＋ｕｐｒｉ（ｔ）、及び
2020121137.tif 000004
として表わされることができ、ここで、ｃｐｒｉ（ｔ）及びｃａｕｘ（ｔ）は、一次コイル及び補助センサそれぞれによって検出される１又は複数の共通のノイズソースによって生成される相関ノイズを表し（すなわち、信号ｃｐｒｉ（ｔ）及びｃａｕｘ（ｔ）は相関し）、ｕｐｒｉ（ｔ）及びｕａｕｘ（ｔ）は、一次コイル及び補助センサそれぞれによって検出される無相関ノイズを表す（例えば、一次コイル及び補助センサそれら自体によって生成されるノイズ）。上述のように、幾つかの実施形態では、補助センサは、センサ自体によって生成されるノイズより環境からのノイズにより高感度であるように構成され得る。例えば、補助センサは、十分大きい開口及び／又は巻き数を有する補助ＲＦコイルであり得る。このようなものとして、ｃａｕｘ（ｔ）は、ｕａｕｘ（ｔ）より十分に大きくなり得るので、
2020121137.tif 000005
【００７０】
ノイズ信号ｃｐｒｉ（ｔ）及びｃａｕｘ（ｔ）のそれぞれは、共通のノイズソース（複数可）に関してそれぞれの測定伝達関数を通じて表されることができる。例えば、フーリエ領域では、ノイズ信号ｃｐｒｉ（ｔ）及びｃａｕｘ（ｔ）のフーリエ変換Ｃｐｒｉ（ω）及びＣａｕｘ（ω）は：
Ｃｐｒｉ（ω）＝Ｈｐｒｉ（ω）Ｃｓ（ω）
Ｃａｕｘ（ω）＝Ｈａｕｘ（ω）Ｃｓ（ω）
として表されることができ、ここでＣｓ（ω）は、共通ノイズソースのフーリエ変換であり、Ｈｐｒｉ（ω）及びＨａｕｘ（ω）は、共通ノイズソースと一次受信コイル及び補助センサとの間のチャンネルをそれぞれ表す。上の式を組み合わせることは：
Ｃｐｒｉ（ω）＝ＨＰＡ（ω）Ｃａｕｘ（ω）
を生み、ここで、
2020121137.tif 000006
は一次から補助への伝達関数である。
【００７１】
プロセス６００の議論に戻ると、ＭＲ及びノイズ信号が動作６０２及び６０４で取得された後、プロセス６００は、動作６０６に進み、一次から補助への（ＰＡ）伝達関数が得られる。幾つかの実施形態では、ＰＡ伝達関数は、動作６０６でＰＡ伝達関数を得ることがＰＡ伝達関数の表現（例えば、ＰＡ伝達関数の周波数領域又は時間領域表現）にアクセスすることを含むように、事前に推定されていてよい。他の実施形態では、動作６０６において伝達関数を得ることは、推定すること及び／又は伝達関数の推定を更新することを含んでよい。ＰＡ伝達関数を推定する技術は以下により詳細に記載される。
【００７２】
次に、動作６０８において、動作６０４において得られたノイズデータ及び動作６０６において得られたＰＡ伝達関数が動作６０２で得られたＭＲデータのノイズを抑制又はキャンセルするために使用され得る。これは、上述の式（１）を使用して、式（１）の任意の同等の式を使用して（例えば、全計算が周波数領域で実行され得る）、又は任意の他の適切な方法で行われ得る。
【００７３】
上述のように、一次から補助への伝達関数は、低磁場ＭＲＩシステムのようなＭＲＩシステムの一次ＲＦコイルによって取得されるＭＲデータのノイズを抑制するために使用され得る。幾つかの実施形態では、一次から補助への伝達関数は、一次ＲＦコイル及び補助センサによって得られた較正測定値から推定され得る。これは、任意の適切な方法で行われ得る。例えば、ＰＡ伝達関数は、ＭＲ信号が存在しないときに又はＭＲ信号の強度が、一次ＲＦコイルによって検出されるノイズの強度に対して小さいときに選ら得る較正測定値から推定され得る。他の例として、ＰＡ伝達関数は、ＭＲ信号が存在するときに（例えば、ＭＲＩシステムの動作中に）得られる較正測定値から推定され得る。任意の適切な数の較正測定値が使用され得る（例えば、少なくとも１００、１００−１０００、少なくとも１０００、等）。より多くの測定値が使用されるとき、ＰＡ伝達関数は、より高い解像度で（例えば、より多くの周波数値で）及び／又は実際のノイズ環境に対する増加した忠実度で推定され得る。ＰＡ伝達関数は、ここに記載される技術が任意の特定の計算方法に限定されないところでは、最小二乗推定技術又は任意の他の適切な推定技術を使用して推定され得る。
【００７４】
１つの非限定例として、時間｛ｔｋ｝で一次コイルによって取得される信号が如何なるＭＲ信号も含まないとき又はＭＲ信号の強度が一次ＲＦコイルによって検出されるノイズの強度に対して小さいとき、ｓｐｒｉ（ｔｋ）＝ｎｐｒｉ（ｔｋ）なので、ｓｐｒｉ（ｔｋ）の離散フーリエ変換は：
Ｓｐｒｉ（ωｋ）＝Ｃｐｒｉ（ωｋ）＋Ｕｐｒｉ（ωｋ）
によって与えられ、ここでＣｐｒｉ（ωｋ）はｃｐｒｉ（ｔｋ）の離散フーリエ変換であり、Ｕｐｒｉ（ωｋ）はｕｐｒｉ（ｔｋ）の離散フーリエ変換である。Ｃｐｒｉ（ωｋ）＝ＨＰＡ（ωｋ）Ｓｒｅｆ（ωｋ）なので、一次コイルで受信される信号の離散フーリエ変換は、
Ｓｐｒｉ（ωｋ）＝ＨＰＡ（ωｋ）Ｓａｕｘ（ωｋ）＋Ｕｐｒｉ（ωｋ）    （２）
にしたがって、補助センサで受信される信号の離散フーリエ変換の関数として表され得る。
【００７５】
式（２）は、独立した式のセットを表し、１つがそれぞれの周波数成分ωｋに関する。Ｕｐｒｉ及びＨＰＡは未知であるので、単一の較正測定値からＨＰＡを決定することはできないかもしれない。Ｍ個の較正測定値（例えば、少なくとも１０、少なくとも１００、少なくとも１０００の較正測定値）が、各周波数成分に関してＳｐｒｉ及びＳａｕｘの多数の例が得られるように、作られるとき、ＰＡ伝達関数は、任意の適切な推定技術により、例えば、最小二乗推定により、未知のＵｐｉｒにもかかわらず、決定されることができる。これは、多数の測定値が無相関ノイズを平均するために使用され得るので、そうなる。Ｍ較正測定値が与えらえるとき、ＰＡ伝達関数のための最小二乗推定は、各周波数成分ωｋに関する以下の行列方程式を考慮することによって得られることができ、
2020121137.tif 000007
これは、
2020121137.tif 000008
にしたがって、解かれることができる。
【００７６】
前述から理解され得るように、上述の推定法は、多数の周波数ビンに関する一次から補助への伝達関数の値を推定するために多数の測定値（すなわち、一次及び補助コイルのそれぞれによって測定されるＭ個のノイズ信号）を使用する。これは、伝達関数を推定するために単一測定値（すなわち、一次及び補助コイルのそれぞれによって測定される単一の信号）に依存する技術に比べて、ＰＡ伝達関数の著しく向上した推定をもたらす。このような単一測定値技術は、減算の前に基準信号をスケーリングすること（scaling）とともに時間シフトすること（time-shifting）を含んでよく、この減算は、一次コイル及び補助コイルで受信されるときノイズ信号間の位相の差を補正するが、（本明細書に記載される多数測定値技術と異なり）周波数位相差を補正しない。
【００７７】
他の単一測定値技術は、一次コイルで受信される信号から補助ノイズ信号を減算する前に周波数領域における補助ノイズ信号をスケーリングすること及び調整することを含み得る。これは、一次コイル及び補助コイルによって受信される信号の離散フーリエ変換（ＤＦＴ）を使用することによって達成されることができる。最適なスケーリング及び位相シフトは、多数の周波数ビンにわたる最小二乗近似（a  least-squares  fit）によって決定されることができる。例えば、Ｓｐｒｉ（ωｋ）が一次受信コイルで測定される信号のＤＦＴであり且つＳａｕｘ（ωｋ）が同時に補助コイルで測定される信号のＤＦＴである場合、（［ｋ１、ｋ２］の範囲における）周波数ビンのサブセットに関する平均スケーリング及び位相シフトＳＰＦは：
2020121137.tif 000009
にしたがって計算され得る。
【００７８】
この単一測定値技術は、周波数依存補正値を作るために使用され得るが、この方法は、補正値の周波数解像度とスケーリング及び位相オフセットの推定値の精度との間のトレードオフを必要とする。特に、この「単一測定値の周波数ビンにわたる平均化」技術は、ＰＡ伝達関数の劣った（例えば、高い相違の、偏った）推定値をもたらす。対照的に、上述の多数測定値技術は、偏っていない、低い相違の推定値を提供する。
【００７９】
上述のように、本発明者は、多数のコイルの使用が、よりロバストなノイズ検出及び／又はキャンセリング、加速された画像取得、等を含む、多くの方法で改良されたＭＲＩを促進し得ることを理解していた。多数の一次受信コイル及び／又は多数の補助センサが使用される実施形態では、センサの全ては、同じ種類であってよい又は異なる種類であってよい。例えば、１又は複数のＲＦコイルがセンサとして使用される状況では、ゼロの、幾つかの、又は全てのコイルがシールドされ得る。他の例として、コイルは、異なる感度を有することができる。他の種類のセンサが使用されるとき、センサ及び一次受信コイル（複数可）の特性の少なくとも幾つかは、必ず異なり得るが、幾つかは同様又は同じであってよい。
【００８０】
幾つかの実施形態では、多数の補助ＲＦコイル及び／又は一次ＲＦコイルが、イメージングを加速するために使用され得る。例えば、同じ又は異なるノイズソースからのノイズを検知するために使用される多数のＲＦコイルは、並列ＭＲを実行するためにも使用され得る。この方法では、多数のＲＦコイルは、ノイズ特性を明らかにする機能並びに並列受信コイルとしてのそれらの使用による加速された画像取得の両方を提供し得る。
【００８１】
幾つかの実施形態では、上述のように、多数のセンサが、多数のノイズソースの存在におけるノイズ補償を実行するために使用され得る。Ｎは１より大きい整数である、Ｎ個の相関ノイズソースを有する環境において、一次コイル及び補助センサによって受信されるノイズ信号ｃｐｒｉ（ｔ）及びｃａｕｘ（ｔ）のフーリエ変換Ｃｐｒｉ（ω）及びＣａｕｘ（ω）は：
2020121137.tif 000010
2020121137.tif 000011
として表されることができ、ここで、Ｃｊ（ω）、１≦ｊ≦Ｍはｊ番目のノイズソースからのノイズ信号のフーリエ変換であり、Ｈｐｒｉ、ｊ（ω）は一次コイルとｊ番目のノイズソースとの間の伝達関数であり、Ｈａｕｘ、ｊ（ω）は補助センサとｊ番目のノイズソースとの間の伝達関数である。比Ｈｐｒｉ、ｊ（ω）／Ｈａｕｘ、ｊ（ω）が１又は複数のノイズソースに関して異なるとき、単一の補助センサのみを使用して高い品質のノイズ補償を行うことはできないかもしれない。しかし、多数の補助センサが、以下に記載されるこの状況においてノイズ補償を実行するために使用され得る。
【００８２】
以下に記載されるのは、どのように多数の補助センサが多数の異なるノイズソースに関してノイズ補償を実行するために使用され得るかの非限定の例である。一般性を失わずに、ＭＲシステムが一次コイル及びＰ個の補助センサ（ここでＰは１以上の任意の整数）を有することを仮定する。さらに、ＭＲシステムは、Ｎ個の異なるノイズソース（ここでＮは１以上の整数）がある環境で展開されることを仮定する。Ｈｉｊ（ω）はｉ番目の補助センサ（ここで１≦ｉ≦Ｐ）とｊ番目のノイズソース（ここで１≦ｊ≦Ｎ）との間の伝達関数を示すとしよう。以下の式のセットは、補助センサによって受信される信号のフーリエ変換をノイズソースによって作り出されるノイズ信号のフーリエ変換に関連付ける：
2020121137.tif 000012
ここで、Ｃａｕｘ，ｉ、１≦ｉ≦Ｐ、は、ｉ番目の補助センサで受信される信号のフーリエ変換であり、Ｃｊ（ω）、１≦ｊ≦Ｎ、はｊ番目のノイズソースからのノイズ信号のフーリエ変換であり、周波数への全ての項の依存は明示的に示されていない（（ω）は簡潔さのために隠されている）が、上記行列方程式の全ての項は周波数の関数であることが理解されるべきである。
【００８３】
補助センサの数が、ノイズソースの数以上であるとき（すなわち、Ｐ＞＝Ｎ）、上記行列方程式は：
2020121137.tif 000013
にしたがってノイズ信号に関して解かれ得る。
【００８４】
このような解が存在する場合、一次受信コイルで測定される相関ノイズは、補助センサの全てによって得られる測定値に関して：
2020121137.tif 000014
にしたがって表され得る。
【００８５】
マルチチャンネル伝達関数ＨＭＰＡが以下の式にしたがって規定され得る：
【００８６】
2020121137.tif 000015
【００８７】
そして、一次コイルによって測定されるノイズは、全ての補助コイルで測定されるノイズ信号の線形結合であることがわかるであろう：
2020121137.tif 000016
【００８８】
したがって、Ｐ個の補助センサによって測定されるノイズ信号が与えらえると（例えば、そのフーリエ変換は、Ｃａｕｘ，ｉ、１≦ｉ≦Ｐ、によって与えられる）、上記方程式は、一次受信コイルで受信されるノイズ信号を推定するために使用され得る（例えば、そのフーリエ変換はＣｐｒｉによって与えられる）。次に、推定されたノイズ信号は、ノイズ抑制を実行するために、一次受信コイルによって測定される全体的な信号（この信号は、ＭＲ信号成分及びノイズ成分の両方を有する）から減算され得る。
【００８９】
しかし、上記方程式（３）を使用するために、マルチチャンネル一次から補助への伝達関数ＨＭＰＡ＝［ＨＰＡＲＣ、１  ・・・  ＨＰＡＲＣ、Ｐ］が必要とされる。これは、任意の適切な方法で達成されてよく、幾つかの実施形態では、（例えば、ＭＲ信号が存在しないときの時点において）一次受信コイル及び補助センサを使用して多数の測定値を作ることによって並びにマルチチャンネル一次から補助への伝達関数を推定するためにこれらの測定値を使用することによって行われ得る。例えば、Ｐ個の補助センサ及び一次受信コイルのそれぞれにおいてノイズ信号のＭ個の測定値が与えられると、ＨＭＰＡは、各周波数成分ωｋ（ｋは周波数ビンに対するインデックスである）に関して最小二乗推定を使用して：
2020121137.tif 000017
推定されることができ、ここで、Ｓａｕｘ，ｉ（ωｋ）ｍは、ｉ番目の補助センサによって得られたｍ番目に測定された信号のフーリエ変換のｋ番目の周波数ビンの値を示し、Ｓｐｒｉ（ωｋ）ｍは、一次受信コイルによって得られたｍ番目に測定された信号のフーリエ変換のｋ番目の周波数ビンの値を示す。この最小二乗アプローチは、以下の行列の列が、互いにできる限り直交であるとき、最も完全な補正を提供する：
2020121137.tif 000018
【００９０】
言い換えると、各補助センサは、他の補助センサから固有の方法で異なるノイズソースの幾つか又は全てを検出し得る。近接場ソースの存在を補正するために、複数のセンサは、ノイズソースの幾つかに対して多少敏感であるように異なる場所に置かれ得る。幾つかの実施形態では、複数のセンサは、互いに直交するように向けられ得る（例えば、１つのセンサは“Ｘ”方向に向けられることができ、他のセンサは“Ｙ”方向に向けられることができ、他のセンサは“Ｚ”方向に向けられることができる）。この方法では、時間変化する干渉場の各ベクトルが捕えられ得る。他の直交測定値を提供するために補助センサとして１又は複数のアンテナを使用することも有益であり得る。
【００９１】
本明細書に記載された技術は、それぞれのノイズソースによって作り出されるノイズを検出するのに適する任意の数及び／又は種類のセンサを使用してＭＲＩシステムの環境におけるノイズを検出することを容易にすることが理解されるべきである。結果として、ＭＲＩシステムの性能に影響を及ぼし得る様々なソースからのノイズが、検出され得るとともに、動作中にＭＲＩシステムによって検出されるＭＲ信号からノイズを抑制及び／又は除去するために使用され得る。本明細書に記載された技術は、ＭＲＩシステムの特定のノイズ環境で働くので、本明細書に記載されたノイズ抑制技術は、システムが必要とされ得るところではどこでもＭＲＩシステムの展開を促進し、システムが特別にシールドされた部屋に設置される要件を取り除く。変化するノイズ環境に動的に適合する能力は、ノイズソースが時間にわたって変化し得る環境を含む、概してノイズのある環境で展開されることができるＭＲＩシステムの開発を促進する。本明細書に記載された技術は、ＭＲＩシステムの動作中に用いられることができるので、ノイズ環境は、システムが現在曝されている同じノイズ環境を反映するように、動的に特性を明らかにされることができる。低磁場ＭＲＩシステムに関連して用いられるとき、本明細書に記載されたノイズ抑制技術を使用して、コスト効率の良く、高可用性及び運搬可能なＭＲＩ解決法がある程度達成され得る。
【００９２】
本開示に記載の本技術の幾つかの態様及び実施形態がこのように記載されているが、様々な代替、修正、及び改良が当業者に容易に思い浮かぶであろうことが理解されるべきである。そのような代替、修正、及び改良は、本明細書に記載された技術の精神及び範囲の中にあることが意図される。例えば、当業者は、機能を実行する並びに／又は本明細書に記載された結果及び／又は１若しくは複数の利点を得るための様々な他の手段及び／又は構造を容易に想起し、このような変形及び／又は修正のそれぞれは本明細書に記載された実施形態の範囲内にあると見なされる。当業者は、単なる通常の実験を使用して、本明細書に記載される特定の実施形態に対する多くの均等物を認識する又は突き止めるであろう。したがって、前述の実施形態は単なる例としてであり、添付の請求項及びそれらの均等の範囲内で、発明の実施形態は、具体的に記載される以外に実施され得ることが理解されるべきである。加えて、本明細書に記載される２以上の特徴、システム、物品、材料、キット及び／又は方法の任意の組合せは、このような特徴、システム、物品、材料、キット、及び／又は方法が互いに矛盾しない限り、本開示の発明の範囲内に含まれる。
【００９３】
上述の実施形態は、多くの方法のいずれかで実装することができる。プロセス又は方法の実行を含む本開示の１又は複数の態様及び実施形態は、プロセス若しくは方法を実行するように、又はプロセス若しくは方法の実行を制御するように、デバイス（例えば、コンピュータ、プロセッサ、又は他のデバイス）によって実行可能なプログラム命令を利用し得る。これに関して、様々な本発明の概念が、１又は複数のコンピュータ又は他のプロセッサで実行されるとき、上述の様々な実施形態の１又は複数を実装する方法を実行する１又は複数のプログラムをエンコードされるコンピュータ可読記憶媒体（又は複数のコンピュータ可読記憶媒体）（例えば、コンピュータメモリ、１若しくは複数のフロッピーディスク、コンパクトディスク、光学ディスク、磁気テープ、フラッシュメモリ、フィールドプログラマブルゲートアレイ若しくは他の半導体デバイスの回路構成、又は他の有形のコンピュータ記憶媒体）として、具体化され得る。コンピュータ可読媒体は、それに記憶されたプログラムが上述の態様の様々なものを実装するように１若しくは複数の異なるコンピュータ又は他のプロセッサ上にロードされることができるように、輸送可能であり得る。幾つかの実施形態では、コンピュータ可読媒体は、非一時的媒体であり得る。
【００９４】
用語「プログラム」又は「ソフトウェア」は、上述の様々な態様を実装するようにコンピュータ又は他のプロセッサをプログラムするために用いられ得る任意のタイプのコンピュータコード又はコンピュータ実行可能命令のセットを指すように、一般的な意味で本明細書では使用される。加えて、１つの態様にしたがって、実行されるとき本開示の方法を実行する１又は複数のコンピュータプログラムは、単一のコンピュータ又はプロセッサ上に存在する必要はないが、本開示の様々な態様を実装するように幾つかの異なるコンピュータ又はプロセッサ間でモジュール的やり方で分散され得ることが理解されるべきである。
【００９５】
コンピュータ実行可能命令は、１又は複数のコンピュータ又は他のデバイスによって実行される、プログラムモジュールのような、多くの形態であり得る。一般的に、プログラムモジュールは、特定のタスクを行う又は特定の抽象データ型を実装する、ルーチン、プログラム、オブジェクト、コンポーネント、データ構造などを含む。典型的には、プログラムモジュールの機能は、様々な実施形態において望まれるように組み合わされ得る又は分散され得る。
【００９６】
また、データ構造は、任意の好適な形式でコンピュータ可読媒体内に記憶され得る。説明を簡単にするために、データ構造は、データ構造内の位置により関係付けられるフィールドを有するように示されることがある。このような関係は同様に、フィールド間の関係を伝えるコンピュータ可読媒体内の位置にフィールドのための記憶を割り当てることにより実現され得る。しかし、任意の適切なメカニズムが、データ要素間の関係を確立するポインタ、タグ、又は他のメカニズムを使用することを含む、データ構造のフィールド内の情報間の関係を確立するために使用され得る。
【００９７】
本発明の上述の実施形態は、任意の多数の方法で実装されることができる。例えば、実施形態は、ハードウェア、ソフトウェア、又はそれらの組合せを使用して実装され得る。ソフトウェアに実装されるとき、ソフトウェアコードは、単一のコンピュータに設けられていても、又は複数のコンピュータ間に分散されていても、任意の適切なプロセッサ、又は一群のプロセッサ上で実行されることができる。上述の機能を実行する任意のコンポーネント又は一群のコンポーネントが、上で論じられた機能を制御するコントローラとして総称的に見なされることが理解されるべきである。コントローラは、専用ハードウェアを用いて、又は上記機能を実行するようにマイクロコード又はソフトウェアを使用してプログラムされる汎用ハードウェア（例えば、１又は複数のプロセッサ）を用いてのように、多くの方法で実装されることができ、コントローラがシステムの複数のコンポーネントに対応するとき、方法の組合せで実装され得る。
【００９８】
さらに、コンピュータは、非限定の例として、ラックマウントコンピュータ、デスクトップコンピュータ、ラップトップコンピュータ、又はタブレットコンピュータのような、いくつかの形式のいずれかで具体化され得ることが理解されるべきである。加えてコンピュータは、携帯情報端末（ＰＤＡ）、スマートフォン又は任意の他の適切なポータブル若しくは固定電子デバイスを含む、コンピュータと広く見なされないが、適切な処理能力を有するデバイスに組み込まれてよい。
【００９９】
また、コンピュータは、１又は複数の入出力デバイスを有してもよい。これらのデバイスは、とりわけ、ユーザインタフェースを提示するために、使用されることができる。ユーザインタフェースを提供するために使用されることができる出力デバイスの例は、出力の視覚的な提示のためのプリンタ若しくはディスプレイスクリーン、又は出力の音声的な提示のためのスピーカ若しくは他の音発生装置を含む。ユーザインタフェースのために使用されることができる入力デバイスの例は、キーボード、並びにマウス、タッチパッド、及びデジタイズタブレットのようなポインティングデバイスを含む。他の例として、コンピュータは、音声認識を通じて、又は他の音声形式で入力情報を受信してよい。
【０１００】
このようなコンピュータは、ローカルエリアネットワーク、又は、企業ネットワーク、及びインテリジェントネットワーク（ＩＮ）若しくはインターネットのようなワイドエリアネットワークを含む、任意の適切な形式の１又は複数のネットワークによって相互接続され得る。このようなネットワークは、任意の適切な技術に基づき、任意の適切なプロトコルに従って動作し、且つ無線ネットワーク、有線ネットワーク若しくは光ファイバネットワークを含み得る。
【０１０１】
また、説明されたように、幾つかの態様は１又は複数の方法として具体化され得る。方法の一部として実行される動作は、任意の適切な方法で順序付けられてよい。したがって、動作が示されたものとは異なる順序で実行される実施形態が構築されてもよく、この実施形態は、例示的な実施形態において連続した動作として示されているとしても、幾つかの動作を同時に実行することを含み得る。
【０１０２】
本明細書で定義及び使用された全ての定義は、辞書的定義、参照によって援用される文献の定義、及び／又は定義された用語の一般的な意味を支配するように理解されるべきである。
【０１０３】
本明細書及び特許請求の範囲で使用されるとき、不定冠詞「１つの（“a”及び“an”）」は、明確にそうでないことが示されない限り、「少なくとも１つ」を意味すると理解されるべきである。
【０１０４】
本明細書及び請求項で使用されるとき、表現「及び／又は」は、そのように結合した要素、すなわち、ある場合には結合して提示され、他の場合には分離して提示される要素の「いずれか又は両方」を意味すると理解されるべきである。「及び／又は」を用いて挙げられた複数の要素は、同じ方法で、すなわち、そのように結合した要素の「１又は複数」で解釈されるべきである。「及び／又は」節によって具体的に特定される要素以外の他の要素が、具体的に特定された要素に関連するか関連しないかに関わらず、任意選択で存在してよい。したがって、非限定的な例として、「Ａ及び／又はＢ」の言及は、「有する、含む（comprising）」のようなオープンエンド形式の用語とともに使用されるとき、一実施形態では、Ａのみ（任意選択で、Ｂ以外の要素を含む）、別の実施形態では、Ｂのみ（任意選択で、Ａ以外の要素を含む）、さらに別の実施形態では、Ａ及びＢの両方（任意選択で、他の要素を含む）、などを指すことができる。
【０１０５】
本明細書及び請求項で使用されるとき、１又は複数の要素のリストに関する表現「少なくとも１つ」は、要素のリスト内の要素の任意の１又は複数から選択される少なくとも１つの要素を意味するが、必ずしも要素のリスト内に特に挙げられたそれぞれの要素の少なくとも１つ及び全てを含むわけではなく、要素のリスト内の要素の任意の組合せを排除しないことが理解されるべきである。この定義はまた、表現「少なくとも１つ」が示す要素のリスト内に具体的に特定された要素以外の要素が、具体的に特定された要素に関連するか関連しないかに関わらず、任意選択で存在し得ることを許す。したがって、非限定の例として、「Ａ及びＢの少なくとも１つ」（又は、等価的に、「Ａ又はＢの少なくとも１つ」、又は等価的に、「Ａ及び／又はＢの少なくとも１つ」）は、１つの実施形態では、Ｂが存在しない（及び任意選択でＢ以外の要素を含む）状態で、少なくとも１つの、任意選択で、１より多いＡを含むことを、他の実施形態では、Ａが存在しない（及び任意選択でＡ以外の要素を含む）状態で、少なくとも１つの、任意選択で、１より多いＢを含むことを、さらに他の実施形態では、少なくとも１つの、任意選択で、１より多いＡを含み、且つ少なくとも１つの、任意選択で、１より多いＢを含む（及び、任意選択で、他の要素を含む）ことなどを、指すことができる。
【０１０６】
また、本明細書で使用される表現法及び用語法は、説明を目的としているものであり、限定するものとして見なされるべきではない。「含む（including）」、「有する、含む（comprising）」若しくは「有する（having）」、「含む（containing）」、「含む（involving）」、及び本明細書におけるそれらの変形の使用は、以下で示される項目及びそれらの均等物、並びに追加の項目を包含することが意味される。
【０１０７】
特許請求の範囲及び上記明細書では、「有する、含む（comprising）」、「含む（including）」、「担持する（carrying）」、「有する（having）」、「含む（containing）」、「含む（involving）」、「保持する（holding）」、及び「〜から構成される（composed  of）」のような移行句は、オープンエンド形式である、すなわち、それを含むがそれに限定されないことを意味するものと理解されるべきである。移行句「〜からなる（consisting  of）」及び「〜から本質的になる（consisting  essentially  of）」のみは、それぞれ、クローズド形式又はセミクローズド形式の移行句であるものとする。
【０１０８】
次の付記を記す。
（付記１）  磁気共鳴イメージングシステムの環境におけるノイズを抑制する方法であって、前記方法は：
少なくとも１つの一次コイル及び少なくとも１つの補助センサそれぞれによって前記環境から得られる複数の較正測定値に基づいて伝達関数を推定するステップと；
少なくとも部分的に前記伝達関数に基づいて前記少なくとも１つの一次コイルによって受信される磁気共鳴信号に存在するノイズを推定するステップと；
前記のノイズ推定を使用して前記磁気共鳴信号のノイズを抑制するステップと；を含む、
方法。
（付記２）  前記少なくとも１つの一次コイルは、前記磁気共鳴イメージングシステムの視野内に位置するときサンプルによって作り出される磁気共鳴信号を検出するように前記磁気共鳴イメージングシステムの前記視野内に配置され、前記少なくとも１つの補助センサは、前記視野の外側に配置される少なくとも１つの補助コイルを有する、
付記１に記載の方法。
（付記３）  前記伝達関数は、前記少なくとも１つの補助コイルによって受信されるノイズ信号に適用されるとき、前記少なくとも１つの一次コイルによって受信されるノイズの推定値を提供する、
付記２に記載の方法。
（付記４）  前記磁気共鳴信号に存在するノイズを推定するステップは、前記少なくとも１つの一次コイルが前記磁気共鳴信号を受信するのと同時に前記少なくとも１つの補助コイルによって受信されるノイズ信号に前記伝達関数を適用するステップを含む、
付記３に記載の方法。
（付記５）  前記複数の較正測定値は、前記少なくとも１つの補助センサによって得られる第１の複数の較正測定値及び前記少なくとも１つの一次コイルによって得られる第２の複数の較正測定値を含み、前記第１の複数の較正測定値のそれぞれは、前記第２の複数の較正測定値のそれぞれの１つと実質的に同時に得られる、
付記１に記載の方法。
（付記６）  前記少なくとも１つの補助コイルは、複数の補助コイルを有し、前記伝達関数は、前記複数の補助コイルのそれぞれによって前記環境から得られた複数の較正測定値を使用して推定される、
付記２に記載の方法。
（付記７）  前記複数の補助コイルのそれぞれは、異なるそれぞれの場所に配置される、
付記６に記載の方法。
（付記８）  前記複数の補助コイルの少なくとも１つは、少なくとも１つの他の補助コイルと異なる種類である、
付記６に記載の方法。
（付記９）  前記ノイズを推定するステップは、前記複数の補助コイルのそれぞれによって受信され且つ前記少なくとも１つの一次コイルが前記磁気共鳴信号を受信するのと実質的に同時に得られるノイズ信号に前記伝達関数を適用するステップを含む、
付記６に記載の方法。
（付記１０）  前記伝達関数を推定するステップは、関心のあるスペクトルにわたる複数の周波数ビンのそれぞれに関して前記伝達関数を推定するステップを含む、
付記１に記載の方法。
（付記１１）  前記少なくとも１つの補助センサは、電源線によって作り出される環境ノイズを抑制するために前記電源線に結合されるセンサを含む、
付記１に記載の方法。
（付記１２）  前記磁気共鳴イメージングシステムは、低磁場磁気共鳴イメージングシステムである、
付記１に記載の方法。
（付記１３）  前記低磁場磁気共鳴イメージングシステムは、約  ．２Ｔ以下のＢ０場を発生させるように構成される、
付記１２に記載の方法。
（付記１４）  前記低磁場磁気共鳴イメージングシステムは、約  ．１Ｔ以下のＢ０場を発生させるように構成される、
付記１２に記載の方法。
（付記１５）  前記低磁場磁気共鳴イメージングシステムは、約  ２０ｍＴ以下のＢ０場を発生させるように構成される、
付記１２に記載の方法。
（付記１６）  磁気共鳴イメージング（ＭＲＩ）システムであって：
少なくとも１つの一次コイルと；
少なくとも１つの補助センサと；
前記少なくとも１つの一次コイル及び前記少なくとも１つの補助センサに前記磁気共鳴イメージングシステムの環境から複数の較正測定値をそれぞれ取得させるように、並びにそれぞれの前記複数の較正測定値に基づいて伝達関数を推定するように構成される少なくとも１つのコントローラと、を有し、
前記コントローラはさらに、少なくとも部分的に前記伝達関数に基づいて前記少なくとも１つの一次コイルによって受信される磁気共鳴信号に存在するノイズを推定するように、及び前記のノイズ推定を使用して前記磁気共鳴信号のノイズを抑制するように構成される、
ＭＲＩシステム。
（付記１７）  前記少なくとも１つの一次コイルは、前記ＭＲＩシステムの視野内に位置するときサンプルによって作り出される磁気共鳴信号を検出するように前記ＭＲＩシステムの前記視野内に配置され、前記少なくとも１つの補助センサは、前記視野の外側に配置される少なくとも１つの補助コイルを有する、
付記１６に記載のＭＲＩシステム。
（付記１８）  前記伝達関数は、前記少なくとも１つの補助コイルによって受信されるノイズ信号に適用されるとき、前記少なくとも１つの一次コイルによって受信されるノイズの推定値を提供する、
付記１７に記載のＭＲＩシステム。
（付記１９）  前記少なくとも１つのコントローラは、前記磁気共鳴信号が前記少なくとも１つの一次コイルによって受信されるのと実質的に同時に、前記少なくとも１つの補助コイルによって受信されるノイズ信号に前記伝達関数を少なくとも部分的に適用することによって、前記磁気共鳴信号に存在するノイズを推定するように構成される、
付記１８に記載のＭＲＩシステム。
（付記２０）  前記少なくとも１つのコントローラは、前記少なくとも１つの補助コイルに第１の複数の較正測定値を取得させるとともに前記少なくとも１つの一次コイルに第２の複数の較正測定値を取得させ、前記第１の複数の較正測定値のそれぞれは、前記第２の複数の較正測定値のそれぞれの１つと実質的に同時に取得されるようにされる、
付記１７に記載のＭＲＩシステム。
（付記２１）  前記少なくとも１つの補助センサは、複数の補助コイルを有し、前記伝達関数は、前記複数の補助コイルのそれぞれによって前記環境から取得された複数の較正測定値を使用して推定される、
付記１６に記載のＭＲＩシステム。
（付記２２）  前記複数の補助コイルのそれぞれは、異なるそれぞれの場所に配置される、
付記２１に記載のＭＲＩシステム。
（付記２３）  前記複数の補助コイルの少なくとも１つは、少なくとも１つの他の補助コイルと異なる種類である、
付記２１に記載のＭＲＩシステム。
（付記２４）  前記ノイズを推定することは、前記少なくとも１つの一次コイルが前記磁気共鳴信号を受信するのと実質的に同時に前記複数の補助コイルのそれぞれから取得されるノイズ信号に前記伝達関数を適用することを含む、
付記２１に記載のＭＲＩシステム。
（付記２５）  前記少なくとも１つのコントローラは、関心のあるスペクトルにわたる複数の周波数ビンのそれぞれに関して前記伝達関数を推定するように構成される、
付記１６に記載のＭＲＩシステム。
（付記２６）  前記少なくとも１つの補助センサは、電源線によって作り出される環境ノイズを抑制するために前記電源線に結合されるセンサを含む
付記１６に記載のＭＲＩシステム。
（付記２７）  磁気共鳴イメージング（ＭＲＩ）システムの環境におけるノイズを回避するように前記ＭＲＩシステムを動作させる方法であって、前記方法は：
関心のあるスペクトル内の複数の周波数ビンのそれぞれの中に存在する前記環境からの少なくとも１つのノイズ信号を取得するステップ、
少なくとも部分的に、それぞれの前記少なくとも１つのノイズ信号に基づいて、前記複数の周波数ビンのうちの１つを選択するステップ、及び
選択された前記周波数ビン内の周波数で動作するように、前記低磁場ＭＲＩシステムの少なくとも１つの一次送信／受信コイルを設定するステップ、を含む、
方法。
（付記２８）  前記複数の周波数ビンのうちの１つを選択するステップは、それぞれの前記少なくとも１つのノイズ信号に基づいて最小のノイズを有する前記複数の周波数ビンのうちの１つを選択するステップを含む、
付記２７に記載の方法。
（付記２９）  前記低磁場ＭＲＩシステムの少なくとも１つの追加の構成要素が、前記の選択された周波数ビンに基づいて設定される、
付記２７に記載の方法。
（付記３０）  前記低磁場ＭＲＩシステムのＢ０磁石の磁場強度は、前記の選択された周波数ビンに基づいて設定される、
付記２９に記載の方法。
（付記３１）  前記少なくとも１つのノイズ信号を取得するステップは、前記少なくとも１つの送信／受信コイルによって実行される、
付記２７に記載の方法。
（付記３２）  前記少なくとも１つのノイズ信号を取得するステップは、少なくとも１つの補助センサによって実行される、
付記２７に記載の方法。
（付記３３）  磁気共鳴イメージング（ＭＲＩ）システムの環境におけるノイズを回避するように異なるモードで動作するように構成されることができるＭＲＩシステムであって、前記ＭＲＩシステムは：
磁気共鳴信号を検出する少なくとも１つの一次送信／受信コイル；並びに
少なくとも１つのコントローラであって、関心のあるスペクトル内の複数の周波数ビンのそれぞれの中に存在する前記環境からの少なくとも１つのノイズ信号を取得するように、少なくとも部分的に、それぞれの前記少なくとも１つのノイズ信号に基づいて、前記複数の周波数ビンのうちの１つを選択するように、及び前記の選択された周波数ビン内の周波数で動作するように前記少なくとも１つの一次送信／受信コイルを設定するように、構成される、少なくとも１つのコントローラ、を有する、
システム。
（付記３４）  前記システムはＢ０磁石をさらに有し、前記少なくとも１つのコントローラは、前記の選択された周波数ビンに基づいて前記Ｂ０磁石の磁場強度を変更するように構成される、
付記３３に記載のシステム。
（付記３５）  前記システムはＢ０磁石をさらに有し、前記少なくとも１つのコントローラは、前記の選択された周波数ビンに基づいて前記Ｂ０磁石の磁場強度を変更するように構成される、
付記３３に記載のシステム。
（付記３６）  前記少なくとも１つのコントローラは、前記少なくとも１つの送信／受信コイルを動作させることによって前記少なくとも１つのノイズ信号を取得する、
付記３３に記載のシステム。
（付記３７）  前記少なくとも１つのコントローラは、少なくとも１つの補助センサを動作させることによって前記少なくとも１つのノイズ信号を取得する、
付記３３に記載のシステム。
（付記３８）  磁気共鳴イメージングシステムの環境で検出されるノイズを抑制する方法であって、前記方法は：
第１の空間エンコーディングを使用して第１のパルスシーケンスを適用することによって少なくとも１つの第１の磁気共鳴信号を取得するステップ；
前記第１の空間エンコーディングを使用して前記第１のパルスシーケンスを適用することによって少なくとも１つの第２の磁気共鳴信号を取得するステップ；
前記少なくとも１つの第１の磁気共鳴信号と前記少なくとも１つの第２の磁気共鳴信号との間の差を計算するステップ；及び
少なくとも部分的に、前記の計算された差に基づいてノイズを推定するステップ；を含む、
方法。
（付記３９）  少なくとも部分的に、前記の推定されたノイズに基づいて、伝達関数を計算するステップをさらに含む、
付記３８に記載の方法。
（付記４０）  前記伝達関数を使用して、前記少なくとも１つの第１の磁気共鳴信号及び／又は前記少なくとも１つの第２の磁気共鳴信号におけるノイズを抑制するステップをさらに含む、
付記３９に記載の方法。
（付記４１）  位相シフトを使用して前記少なくとも１つの第１の磁気共鳴信号及び前記少なくとも１つの第２の磁気共鳴信号を整列させるステップを含む、
付記３８に記載の方法。
（付記４２）  前記第１のパルスシーケンスは、バランス定常状態自由歳差（ｂＳＳＦＰ）パルスシーケンスである、
付記３８に記載の方法。
（付記４３）  前記少なくとも１つの第１の磁気共鳴信号は、第１の場所から取得される第１の複数の平均化された磁気共鳴信号を含む、
付記３８に記載の方法。
（付記４４）  磁気共鳴イメージングシステムの環境で検出されるノイズを抑制する装置であって、前記システムは、
磁気共鳴信号を検出するように構成される少なくとも１つの受信コイル；
空間エンコーディングのための少なくとも１つの勾配コイル；並びに
少なくとも１つのコントローラであって：
少なくとも１つの第１の磁気共鳴信号を取得するよう第１の空間エンコーディングを使用して第１のパルスシーケンスにしたがって、前記少なくとも１つの受信コイル及び前記少なくとも１つの勾配コイルを作動させるように；
少なくとも１つの第２の磁気共鳴信号を取得するよう前記第１の空間エンコーディングを使用して前記第１のパルスシーケンスにしたがって、前記少なくとも１つの受信コイル及び前記少なくとも１つの勾配コイルを作動させるように；
前記少なくとも１つの第１の磁気共鳴信号と前記少なくとも１つの第２の磁気共鳴信号との間の差を計算するように；及び
少なくとも部分的に、前記の計算された差に基づいてノイズを推定するように；構成される、少なくとも１つのコントローラ；を含む、
装置。
（付記４５）  前記少なくとも１つのコントローラは、少なくとも部分的に、前記の推定されたノイズにしたがって、伝達関数を計算するように構成される、
付記４４に記載の装置。
（付記４６）  前記少なくとも１つのコントローラは、前記伝達関数を使用して、前記少なくとも１つの第１の磁気共鳴信号及び／又は前記少なくとも１つの第２の磁気共鳴信号におけるノイズを抑制するように構成される、
付記４４に記載の装置。
（付記４７）  前記少なくとも１つのコントローラは、位相シフトを使用して前記少なくとも１つの第１の磁気共鳴信号及び前記少なくとも１つの第２の磁気共鳴信号を整列させるように構成される、
付記４４に記載の装置。
（付記４８）  前記第１のパルスシーケンスは、バランス定常状態自由歳差（ｂＳＳＦＰ）パルスシーケンスである、
付記４４に記載の装置。
（付記４９）  前記少なくとも１つの第１の磁気共鳴信号は、第１の場所から取得される第１の複数の平均化された磁気共鳴信号を含む、
付記４４に記載の装置。
【図１】
2020121137.tif 000019
【図２】
2020121137.tif 000020
【図３】
2020121137.tif 000021
【図４】
2020121137.tif 000022
【図５】
2020121137.tif 000023
【図６】
2020121137.tif 000024
【外国語明細書】
2020121137000001.pdf